(57)【要約】  サイドリンクタイプを決定する方法、端末装置、及びネットワーク装置であり、リソーススケジューリングの柔軟性を高めることができる。該方法は、ネットワーク装置から送信されたダウンリンク制御情報（ＤＣＩ）を受信することと、事前に設定されたルールに従って、該ＤＣＩに基づいて、第１タイプサイドリンク又は第２タイプサイドリンクがターゲットサイドリンクであることを決定し、該第１タイプサイドリンクと該第２タイプサイドリンクとの設定パラメータが異なることと、該ターゲットサイドリンクを採用してサイドリンクのデータ伝送を行うことと、を含む。
2021530145.tif 000002
【特許請求の範囲】
【請求項１】
サイドリンクタイプを決定する方法であって、
ネットワーク装置から送信されたダウンリンク制御情報（ＤＣＩ）を受信することと、
事前に設定されたルールに従って、前記ＤＣＩに基づいて、第１タイプサイドリンク又は第２タイプサイドリンクがターゲットサイドリンクであることを決定し、前記第１タイプサイドリンクと前記第２タイプサイドリンクとの設定パラメータが異なることと、
前記ターゲットサイドリンクを採用してサイドリンクのデータ伝送を行うことと、を含むことを特徴とするサイドリンクタイプを決定する方法。
【請求項２】
前記事前に設定されたルールは、
前記ＤＣＩがタイプフィールドを含み、前記タイプフィールドが第１値である場合、前記第１タイプサイドリンクが前記ターゲットサイドリンクであることを決定し、前記タイプフィールドが第２値である場合、前記第２タイプサイドリンクが前記ターゲットサイドリンクであることを決定することを含むことを特徴とする請求項１に記載の方法。
【請求項３】
前記事前に設定されたルールは、
前記ＤＣＩが指示情報フィールドを含み、前記指示情報フィールドが第１パラメータセットを指示する場合、前記第１タイプサイドリンクが前記ターゲットサイドリンクであることを決定し、前記指示情報フィールドが第２パラメータセットを指示する場合、前記第２タイプサイドリンクが前記ターゲットサイドリンクであることを決定することを含むことを特徴とする請求項１に記載の方法。
【請求項４】
前記事前に設定されたルールは、
前記ＤＣＩが第１無線ネットワーク一時識別子（ＲＮＴＩ）でスクランブルされる場合、前記第１タイプサイドリンクが前記ターゲットサイドリンクであることを決定し、前記ＤＣＩが第２ＲＮＴＩでスクランブルされる場合、前記第２タイプサイドリンクが前記ターゲットサイドリンクであることを決定し、前記第２ＲＮＴＩと第１ＲＮＴＩが異なることを含むことを特徴とする請求項１に記載の方法。
【請求項５】
前記第１ＲＮＴＩはサイドリンク車両無線ネットワーク一時識別子（ＳＬ−Ｖ−ＲＮＴＩ）であることを特徴とする請求項４に記載の方法。
【請求項６】
前記事前に設定されたルールは、
前記ＤＣＩが第１フォーマットのＤＣＩである場合、前記第１タイプサイドリンクが前記ターゲットサイドリンクであることを決定し、前記ＤＣＩが第２フォーマットのＤＣＩである場合、前記第２タイプサイドリンクが前記ターゲットサイドリンクであることを決定することを含むことを特徴とする請求項１に記載の方法。
【請求項７】
前記事前に設定されたルールは、
前記ＤＣＩを搬送するサーチスペースに基づいて、前記第１タイプサイドリンク又は前記第２タイプサイドリンクが前記ターゲットサイドリンクであることを決定することを含むことを特徴とする請求項１に記載の方法。
【請求項８】
前記ＤＣＩを搬送するサーチスペースに基づいて、前記第１タイプサイドリンク又は前記第２タイプサイドリンクが前記ターゲットサイドリンクであることを決定することは、
第１タイプサーチスペースによって前記ＤＣＩを搬送する場合、前記第１タイプサイドリンクが前記ターゲットサイドリンクであることを決定することと、
第２タイプサーチスペースによって前記ＤＣＩを搬送する場合、前記第２タイプサイドリンクが前記ターゲットサイドリンクであることを決定することと、を含むことを特徴とする請求項７に記載の方法。
【請求項９】
前記ＤＣＩを搬送するサーチスペースに基づいて、前記第１タイプサイドリンク又は前記第２タイプサイドリンクが前記ターゲットサイドリンクであることを決定することは、
前記ＤＣＩを搬送するサーチスペースのインデックスが第３値である場合、前記第１タイプサイドリンクが前記ターゲットサイドリンクであることを決定することと、
前記ＤＣＩを搬送するサーチスペースのインデックスが第４値である場合、前記第２タイプサイドリンクが前記ターゲットサイドリンクであることを決定することと、を含むことを特徴とする請求項７に記載の方法。
【請求項１０】
前記事前に設定されたルールは、
前記ＤＣＩを搬送するキャリア又は周波数帯域が第１周波数である場合、前記第１タイプサイドリンクが前記ターゲットサイドリンクであることを決定し、前記ＤＣＩを搬送する前記キャリア又は周波数帯域が第２周波数である場合、前記第２タイプサイドリンクが前記ターゲットサイドリンクであることを決定することを含むことを特徴とする請求項１に記載の方法。
【請求項１１】
前記事前に設定されたルールは、
前記ＤＣＩがキャリア指示情報を含み、前記キャリア指示情報及び第１対応関係に基づいて、前記第１タイプサイドリンク又は前記第２タイプサイドリンクが前記ターゲットサイドリンクであることを決定し、前記第１対応関係は前記キャリア指示情報と前記ターゲットサイドリンクのタイプとの対応関係を指示することに用いられることを含むことを特徴とする請求項１に記載の方法。
【請求項１２】
前記第１対応関係は事前に設定されたもの又は前記ネットワーク装置によって設定されたものであることを特徴とする請求項１１に記載の方法。
【請求項１３】
前記ネットワーク装置に前記第１対応関係を送信することを更に含むことを特徴とする請求項１１に記載の方法。
【請求項１４】
前記第１タイプサイドリンクはロングタームエボリューション（ＬＴＥ）システムをサポートするサイドリンクであり、前記第２タイプサイドリンクは新無線（ＮＲ）システムをサポートするサイドリンクであり、又は、
前記第１タイプサイドリンクはＮＲシステムをサポートするサイドリンクであり、前記第２タイプサイドリンクはＬＴＥシステムをサポートするサイドリンクであることを特徴とする請求項１〜１３のいずれか１項に記載の方法。
【請求項１５】
前記ネットワーク装置から送信された前記事前に設定されたルールを受信することを更に含むことを特徴とする請求項１〜１４のいずれか１項に記載の方法。
【請求項１６】
前記第１タイプサイドリンクと前記第２タイプサイドリンクとの前記設定パラメータが異なることは、
前記第１タイプサイドリンクのサポートする最大帯域幅と前記第２タイプサイドリンクのサポートする最大帯域幅が異なること、
前記第１タイプサイドリンクのサポートするサブキャリア間隔の大きさと前記第２タイプサイドリンクのサポートするサブキャリア間隔の大きさが異なること、
前記第１タイプサイドリンクのサポートするサブキャリア間隔の種類と前記第２タイプサイドリンクのサポートするサブキャリア間隔の種類が異なること、
前記第１タイプサイドリンクの設定パラメータが帯域幅部分を含まなく、前記第２タイプサイドリンクの設定パラメータが帯域幅部分を含むこと、
前記第１タイプサイドリンクのキャリアインデックスと前記第２タイプサイドリンクのキャリアインデックスが異なること、
第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含むことを特徴とする請求項１〜１５のいずれか１項に記載の方法。
【請求項１７】
サイドリンクタイプを決定する方法であって、
端末装置にダウンリンク制御情報（ＤＣＩ）を送信し、前記ＤＣＩは前記端末装置が事前に設定されたルールに従って第１タイプサイドリンク又は第２タイプサイドリンクがターゲットサイドリンクであることを決定することに用いられ、前記第１タイプサイドリンクと前記第２タイプサイドリンクとの設定パラメータが異なり、前記ターゲットサイドリンクは前記端末装置がサイドリンクのデータ伝送を行うことに用いられることを含むことを特徴とするサイドリンクタイプを決定する方法。
【請求項１８】
前記端末装置に前記事前に設定されたルールを送信することを更に含むことを特徴とする請求項１７に記載の方法。
【請求項１９】
前記事前に設定されたルールは、
前記ＤＣＩがタイプフィールドを含み、前記タイプフィールドが第１値である場合、前記ＤＣＩは前記第１タイプサイドリンクが前記ターゲットサイドリンクであることを決定するように前記端末装置に指示することに用いられ、前記タイプフィールドが第２値である場合、前記ＤＣＩは前記第２タイプサイドリンクが前記ターゲットサイドリンクであることを決定するように前記端末装置に指示することに用いられることを含むことを特徴とする請求項１７又は１８に記載の方法。
【請求項２０】
前記事前に設定されたルールは、
前記ＤＣＩが指示情報フィールドを含み、前記指示情報フィールドが第１パラメータセットを指示する場合、前記ＤＣＩは前記第１タイプサイドリンクが前記ターゲットサイドリンクであることを指示することに用いられ、前記指示情報フィールドが第２パラメータセットを指示する場合、前記ＤＣＩは前記第２タイプサイドリンクが前記ターゲットサイドリンクであることを指示することに用いられることを含むことを特徴とする請求項１７に記載の方法。
【請求項２１】
前記事前に設定されたルールは、
前記ＤＣＩが第１無線ネットワーク一時識別子（ＲＮＴＩ）でスクランブルされる場合、前記ＤＣＩは前記第１タイプサイドリンクが前記ターゲットサイドリンクであることを決定するように前記端末装置に指示することに用いられ、前記ＤＣＩが第２ＲＮＴＩでスクランブルされる場合、前記ＤＣＩは前記第２タイプサイドリンクが前記ターゲットサイドリンクであることを決定するように前記端末装置に指示することに用いられ、前記第２ＲＮＴＩと第１ＲＮＴＩが異なることを含むことを特徴とする請求項１７又は１８に記載の方法。
【請求項２２】
前記第１ＲＮＴＩはサイドリンク車両無線ネットワーク一時識別子（ＳＬ−Ｖ−ＲＮＴＩ）であることを特徴とする請求項１８に記載の方法。
【請求項２３】
前記事前に設定されたルールは、
前記ＤＣＩが第１フォーマットのＤＣＩである場合、前記ＤＣＩは前記第１タイプサイドリンクが前記ターゲットサイドリンクであることを決定するように前記端末装置に指示することに用いられ、前記ＤＣＩが第２フォーマットのＤＣＩである場合、前記ＤＣＩは前記第２タイプサイドリンクが前記ターゲットサイドリンクであることを決定するように前記端末装置に指示することに用いられることを含むことを特徴とする請求項１７又は１８に記載の方法。
【請求項２４】
前記事前に設定されたルールは、
前記ＤＣＩは前記ＤＣＩを搬送するサーチスペースに基づいて前記第１タイプサイドリンク又は前記第２タイプサイドリンクが前記ターゲットサイドリンクであることを決定するように前記端末装置に指示することに用いられることを含むことを特徴とする請求項１７又は１８に記載の方法。
【請求項２５】
前記事前に設定されたルールは、
第１タイプサーチスペースによって前記ＤＣＩを搬送する場合、前記ＤＣＩは前記第１タイプサイドリンクが前記ターゲットサイドリンクであることを決定するように前記端末装置に指示することに用いられ、第２タイプサーチスペースによって前記ＤＣＩを搬送する場合、前記ＤＣＩは前記第２タイプサイドリンクが前記ターゲットサイドリンクであることを決定するように前記端末装置に指示することに用いられることを含むことを特徴とする請求項２４に記載の方法。
【請求項２６】
前記事前に設定されたルールは、
前記ＤＣＩを搬送するサーチスペースのインデックスが第３値である場合、前記ＤＣＩは前記第１タイプサイドリンクが前記ターゲットサイドリンクであることを決定するように前記端末装置に指示することに用いられ、前記ＤＣＩを搬送するサーチスペースのインデックスが第４値である場合、前記ＤＣＩは前記第２タイプサイドリンクが前記ターゲットサイドリンクであることを決定するように前記端末装置に指示することに用いられることを含むことを特徴とする請求項２４に記載の方法。
【請求項２７】
前記事前に設定されたルールは、
前記ＤＣＩを搬送するキャリア又は周波数帯域が第１周波数である場合、前記ＤＣＩは前記第１タイプサイドリンクが前記ターゲットサイドリンクであることを決定するように前記端末装置に指示することに用いられ、前記ＤＣＩを搬送する前記キャリア又は周波数帯域が第２周波数である場合、前記ＤＣＩは前記第２タイプサイドリンクが前記ターゲットサイドリンクであることを決定するように前記端末装置に指示することに用いられることを含むことを特徴とする請求項１７又は１８に記載の方法。
【請求項２８】
前記事前に設定されたルールは、
前記ＤＣＩがキャリア指示情報を含み、前記キャリア指示情報及び第１対応関係に基づいて、前記第１タイプサイドリンク又は前記第２タイプサイドリンクが前記ターゲットサイドリンクであることを決定し、前記第１対応関係は前記キャリア指示情報と前記ターゲットサイドリンクのタイプとの対応関係を指示することに用いられることを含むことを特徴とする請求項１７又は１８に記載の方法。
【請求項２９】
前記第１対応関係は事前に設定されたものであることを特徴とする請求項２８に記載の方法。
【請求項３０】
前記端末装置に前記第１対応関係を送信すること、又は、
前記端末装置から送信された前記第１対応関係を受信することを更に含むことを特徴とする請求項２８に記載の方法。
【請求項３１】
前記第１タイプサイドリンクはロングタームエボリューション（ＬＴＥ）システムをサポートするサイドリンクであり、前記第２タイプサイドリンクは新無線（ＮＲ）システムをサポートするサイドリンクであり、又は、
前記第１タイプサイドリンクはＮＲシステムをサポートするサイドリンクであり、前記第２タイプサイドリンクはＬＴＥシステムをサポートするサイドリンクであることを特徴とする請求項１７〜３０のいずれか１項に記載の方法。
【請求項３２】
前記第１タイプサイドリンクと前記第２タイプサイドリンクとの前記設定パラメータが異なることは、
前記第１タイプサイドリンクのサポートする最大帯域幅と前記第２タイプサイドリンクのサポートする最大帯域幅が異なること、
前記第１タイプサイドリンクのサポートするサブキャリア間隔の大きさと前記第２タイプサイドリンクのサポートするサブキャリア間隔の大きさが異なること、
前記第１タイプサイドリンクのサポートするサブキャリア間隔の種類と前記第２タイプサイドリンクのサポートするサブキャリア間隔の種類が異なること、
前記第１タイプサイドリンクの設定パラメータが帯域幅部分を含まなく、前記第２タイプサイドリンクの設定パラメータが帯域幅部分を含むこと、
前記第１タイプサイドリンクのキャリアインデックスと前記第２タイプサイドリンクのキャリアインデックスが異なること、
第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含むことを特徴とする請求項１７〜３１のいずれか１項に記載の方法。
【請求項３３】
端末装置であって、
ネットワーク装置から送信されたダウンリンク制御情報（ＤＣＩ）を受信することに用いられる送受信ユニットと、
事前に設定されたルールに従って、前記ＤＣＩに基づいて、第１タイプサイドリンク又は第２タイプサイドリンクがターゲットサイドリンクであることを決定し、前記第１タイプサイドリンクと前記第２タイプサイドリンクとの設定パラメータが異なる決定ユニットと、を備え、
前記送受信ユニットは更に、前記ターゲットサイドリンクを採用してサイドリンクのデータ伝送を行うことに用いられることを特徴とする端末装置。
【請求項３４】
前記事前に設定されたルールは、
前記ＤＣＩがタイプフィールドを含み、前記タイプフィールドが第１値である場合、前記第１タイプサイドリンクが前記ターゲットサイドリンクであることを決定し、前記タイプフィールドが第２値である場合、前記第２タイプサイドリンクが前記ターゲットサイドリンクであることを決定することを含むことを特徴とする請求項３３に記載の端末装置。
【請求項３５】
前記事前に設定されたルールは、
前記ＤＣＩが指示情報フィールドを含み、前記指示情報フィールドが第１パラメータセットを指示する場合、前記第１タイプサイドリンクが前記ターゲットサイドリンクであることを決定し、前記指示情報フィールドが第２パラメータセットを指示する場合、前記第２タイプサイドリンクが前記ターゲットサイドリンクであることを決定することを含むことを特徴とする請求項３３に記載の端末装置。
【請求項３６】
前記事前に設定されたルールは、
前記ＤＣＩが第１無線ネットワーク一時識別子（ＲＮＴＩ）でスクランブルされる場合、前記第１タイプサイドリンクが前記ターゲットサイドリンクであることを決定し、前記ＤＣＩが第２ＲＮＴＩでスクランブルされる場合、前記第２タイプサイドリンクが前記ターゲットサイドリンクであることを決定し、前記第２ＲＮＴＩと第１ＲＮＴＩが異なることを含むことを特徴とする請求項３３に記載の端末装置。
【請求項３７】
前記第１ＲＮＴＩはサイドリンク車両無線ネットワーク一時識別子（ＳＬ−Ｖ−ＲＮＴＩ）であることを特徴とする請求項３６に記載の端末装置。
【請求項３８】
前記事前に設定されたルールは、
前記ＤＣＩが第１フォーマットのＤＣＩである場合、前記第１タイプサイドリンクが前記ターゲットサイドリンクであることを決定し、前記ＤＣＩが第２フォーマットのＤＣＩである場合、前記第２タイプサイドリンクが前記ターゲットサイドリンクであることを決定することを含むことを特徴とする請求項３３に記載の端末装置。
【請求項３９】
前記事前に設定されたルールは、
前記ＤＣＩを搬送するサーチスペースに基づいて、前記第１タイプサイドリンク又は前記第２タイプサイドリンクが前記ターゲットサイドリンクであることを決定することを含むことを特徴とする請求項３３に記載の端末装置。
【請求項４０】
前記事前に設定されたルールにおける、前記ＤＣＩを搬送するサーチスペースに基づいて、前記第１タイプサイドリンク又は前記第２タイプサイドリンクが前記ターゲットサイドリンクであることを決定することは、
第１タイプサーチスペースによって前記ＤＣＩを搬送する場合、前記第１タイプサイドリンクが前記ターゲットサイドリンクであることを決定することと、
第２タイプサーチスペースによって前記ＤＣＩを搬送する場合、前記第２タイプサイドリンクが前記ターゲットサイドリンクであることを決定することと、を含むことを特徴とする請求項３９に記載の端末装置。
【請求項４１】
前記事前に設定されたルールにおける、前記ＤＣＩを搬送するサーチスペースに基づいて、前記第１タイプサイドリンク又は前記第２タイプサイドリンクが前記ターゲットサイドリンクであることを決定することは、
前記ＤＣＩを搬送するサーチスペースのインデックスが第３値である場合、前記第１タイプサイドリンクが前記ターゲットサイドリンクであることを決定することと、
前記ＤＣＩを搬送するサーチスペースのインデックスが第４値である場合、前記第２タイプサイドリンクが前記ターゲットサイドリンクであることを決定することと、を含むことを特徴とする請求項３９に記載の端末装置。
【請求項４２】
前記事前に設定されたルールは、
前記ＤＣＩを搬送するキャリア又は周波数帯域が第１周波数である場合、前記第１タイプサイドリンクが前記ターゲットサイドリンクであることを決定し、前記ＤＣＩを搬送する前記キャリア又は周波数帯域が第２周波数である場合、前記第２タイプサイドリンクが前記ターゲットサイドリンクであることを決定することを含むことを特徴とする請求項３３に記載の端末装置。
【請求項４３】
前記事前に設定されたルールは、
前記ＤＣＩがキャリア指示情報を含み、前記キャリア指示情報及び第１対応関係に基づいて、前記第１タイプサイドリンク又は前記第２タイプサイドリンクが前記ターゲットサイドリンクであることを決定し、前記第１対応関係は前記キャリア指示情報と前記ターゲットサイドリンクのタイプとの対応関係を指示することに用いられることを含むことを特徴とする請求項３３に記載の端末装置。
【請求項４４】
前記第１対応関係は事前に設定されたもの又は前記ネットワーク装置によって設定されたものであることを特徴とする請求項４３に記載の端末装置。
【請求項４５】
前記送受信ユニットは更に、
前記ネットワーク装置に前記第１対応関係を送信することに用いられることを特徴とする請求項４３に記載の端末装置。
【請求項４６】
前記第１タイプサイドリンクはロングタームエボリューション（ＬＴＥ）システムをサポートするサイドリンクであり、前記第２タイプサイドリンクは新無線（ＮＲ）システムをサポートするサイドリンクであり、又は、
前記第１タイプサイドリンクはＮＲシステムをサポートするサイドリンクであり、前記第２タイプサイドリンクはＬＴＥシステムをサポートするサイドリンクであることを特徴とする請求項３３〜４５のいずれか１項に記載の端末装置。
【請求項４７】
前記送受信ユニットは更に、
前記ネットワーク装置から送信された前記事前に設定されたルールを受信することに用いられることを特徴とする請求項３３〜４６のいずれか１項に記載の端末装置。
【請求項４８】
前記第１タイプサイドリンクと前記第２タイプサイドリンクとの前記設定パラメータが異なることは、
前記第１タイプサイドリンクのサポートする最大帯域幅と前記第２タイプサイドリンクのサポートする最大帯域幅が異なること、
前記第１タイプサイドリンクのサポートするサブキャリア間隔の大きさと前記第２タイプサイドリンクのサポートするサブキャリア間隔の大きさが異なること、
前記第１タイプサイドリンクのサポートするサブキャリア間隔の種類と前記第２タイプサイドリンクのサポートするサブキャリア間隔の種類が異なること、
前記第１タイプサイドリンクの設定パラメータが帯域幅部分を含まなく、前記第２タイプサイドリンクの設定パラメータが帯域幅部分を含むこと、
前記第１タイプサイドリンクのキャリアインデックスと前記第２タイプサイドリンクのキャリアインデックスが異なること、
第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含むことを特徴とする請求項３３〜４７のいずれか１項に記載の端末装置。
【請求項４９】
ネットワーク装置であって、
端末装置にダウンリンク制御情報（ＤＣＩ）を送信することに用いられ、前記ＤＣＩは前記端末装置が事前に設定されたルールに従って第１タイプサイドリンク又は第２タイプサイドリンクがターゲットサイドリンクであることを決定することに用いられ、前記第１タイプサイドリンクと前記第２タイプサイドリンクとの設定パラメータが異なり、前記ターゲットサイドリンクは前記端末装置がサイドリンクのデータ伝送を行うことに用いられる送信ユニットを備えることを特徴とするネットワーク装置。
【請求項５０】
前記送信ユニットは更に、
前記端末装置に前記事前に設定されたルールを送信することに用いられることを特徴とする請求項４９に記載のネットワーク装置。
【請求項５１】
前記事前に設定されたルールは、
前記ＤＣＩがタイプフィールドを含み、前記タイプフィールドが第１値である場合、前記ＤＣＩは前記第１タイプサイドリンクが前記ターゲットサイドリンクであることを決定するように前記端末装置に指示することに用いられ、前記タイプフィールドが第２値である場合、前記ＤＣＩは前記第２タイプサイドリンクが前記ターゲットサイドリンクであることを決定するように前記端末装置に指示することに用いられることを含むことを特徴とする請求項４９又は５０に記載のネットワーク装置。
【請求項５２】
前記事前に設定されたルールは、
前記ＤＣＩが指示情報フィールドを含み、前記指示情報フィールドが第１パラメータセットを指示する場合、前記ＤＣＩは前記第１タイプサイドリンクが前記ターゲットサイドリンクであることを指示することに用いられ、前記指示情報フィールドが第２パラメータセットを指示する場合、前記ＤＣＩは前記第２タイプサイドリンクが前記ターゲットサイドリンクであることを指示することに用いられることを含むことを特徴とする請求項４９又は５０に記載のネットワーク装置。
【請求項５３】
前記事前に設定されたルールは、
前記ＤＣＩが第１無線ネットワーク一時識別子（ＲＮＴＩ）でスクランブルされる場合、前記ＤＣＩは前記第１タイプサイドリンクが前記ターゲットサイドリンクであることを決定するように前記端末装置に指示することに用いられ、前記ＤＣＩが第２ＲＮＴＩでスクランブルされる場合、前記ＤＣＩは前記第２タイプサイドリンクが前記ターゲットサイドリンクであることを決定するように前記端末装置に指示することに用いられ、前記第２ＲＮＴＩと第１ＲＮＴＩが異なることを含むことを特徴とする請求項４９又は５０に記載のネットワーク装置。
【請求項５４】
前記第１ＲＮＴＩはサイドリンク車両無線ネットワーク一時識別子（ＳＬ−Ｖ−ＲＮＴＩ）であることを特徴とする請求項５３に記載のネットワーク装置。
【請求項５５】
前記事前に設定されたルールは、
前記ＤＣＩが第１フォーマットのＤＣＩである場合、前記ＤＣＩは前記第１タイプサイドリンクが前記ターゲットサイドリンクであることを決定するように前記端末装置に指示することに用いられ、前記ＤＣＩが第２フォーマットのＤＣＩである場合、前記ＤＣＩは前記第２タイプサイドリンクが前記ターゲットサイドリンクであることを決定するように前記端末装置に指示することに用いられることを含むことを特徴とする請求項４９又は５０に記載のネットワーク装置。
【請求項５６】
前記事前に設定されたルールは、
前記ＤＣＩは前記ＤＣＩを搬送するサーチスペースに基づいて前記第１タイプサイドリンク又は前記第２タイプサイドリンクが前記ターゲットサイドリンクであることを決定するように前記端末装置に指示することに用いられることを含むことを特徴とする請求項４９又は５０に記載のネットワーク装置。
【請求項５７】
前記事前に設定されたルールは、
第１タイプサーチスペースによって前記ＤＣＩを搬送する場合、前記ＤＣＩは前記第１タイプサイドリンクが前記ターゲットサイドリンクであることを決定するように前記端末装置に指示することに用いられ、第２タイプサーチスペースによって前記ＤＣＩを搬送する場合、前記ＤＣＩは前記第２タイプサイドリンクが前記ターゲットサイドリンクであることを決定するように前記端末装置に指示することに用いられることを含むことを特徴とする請求項５６に記載のネットワーク装置。
【請求項５８】
前記事前に設定されたルールは、
前記ＤＣＩを搬送するサーチスペースのインデックスが第３値である場合、前記ＤＣＩは前記第１タイプサイドリンクが前記ターゲットサイドリンクであることを決定するように前記端末装置に指示することに用いられ、前記ＤＣＩを搬送するサーチスペースのインデックスが第４値である場合、前記ＤＣＩは前記第２タイプサイドリンクが前記ターゲットサイドリンクであることを決定するように前記端末装置に指示することに用いられることを含むことを特徴とする請求項５６に記載のネットワーク装置。
【請求項５９】
前記事前に設定されたルールは、
前記ＤＣＩを搬送するキャリア又は周波数帯域が第１周波数である場合、前記ＤＣＩは前記第１タイプサイドリンクが前記ターゲットサイドリンクであることを決定するように前記端末装置に指示することに用いられ、前記ＤＣＩを搬送する前記キャリア又は周波数帯域が第２周波数である場合、前記ＤＣＩは前記第２タイプサイドリンクが前記ターゲットサイドリンクであることを決定するように前記端末装置に指示することに用いられることを含むことを特徴とする請求項４９又は５０に記載のネットワーク装置。
【請求項６０】
前記事前に設定されたルールは、
前記ＤＣＩがキャリア指示情報を含み、前記キャリア指示情報及び第１対応関係に基づいて、前記第１タイプサイドリンク又は前記第２タイプサイドリンクが前記ターゲットサイドリンクであることを決定し、前記第１対応関係は前記キャリア指示情報と前記ターゲットサイドリンクのタイプとの対応関係を指示することに用いられることを含むことを特徴とする請求項４９又は５０に記載のネットワーク装置。
【請求項６１】
前記第１対応関係は事前に設定されたものであることを特徴とする請求項６０に記載のネットワーク装置。
【請求項６２】
前記送信ユニットは更に、前記端末装置に前記第１対応関係を送信することに用いられ、又は、
前記ネットワーク装置は更に、前記端末装置から送信された前記第１対応関係を受信することに用いられる受信ユニットを備えることを特徴とする請求項６０に記載のネットワーク装置。
【請求項６３】
前記第１タイプサイドリンクはロングタームエボリューション（ＬＴＥ）システムをサポートするサイドリンクであり、前記第２タイプサイドリンクは新無線（ＮＲ）システムをサポートするサイドリンクであり、又は、
前記第１タイプサイドリンクはＮＲシステムをサポートするサイドリンクであり、前記第２タイプサイドリンクはＬＴＥシステムをサポートするサイドリンクであることを特徴とする請求項４９〜６２のいずれか１項に記載のネットワーク装置。
【請求項６４】
前記第１タイプサイドリンクと前記第２タイプサイドリンクとの前記設定パラメータが異なることは、
前記第１タイプサイドリンクのサポートする最大帯域幅と前記第２タイプサイドリンクのサポートする最大帯域幅が異なること、
前記第１タイプサイドリンクのサポートするサブキャリア間隔の大きさと前記第２タイプサイドリンクのサポートするサブキャリア間隔の大きさが異なること、
前記第１タイプサイドリンクのサポートするサブキャリア間隔の種類と前記第２タイプサイドリンクのサポートするサブキャリア間隔の種類が異なること、
前記第１タイプサイドリンクの設定パラメータが帯域幅部分を含まなく、前記第２タイプサイドリンクの設定パラメータが帯域幅部分を含むこと、
前記第１タイプサイドリンクのキャリアインデックスと前記第２タイプサイドリンクのキャリアインデックスが異なること、
第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含むことを特徴とする請求項４９〜６３のいずれか１項に記載のネットワーク装置。
【請求項６５】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１〜１６のいずれか１項に記載の方法を実行することに用いられることを特徴とする端末装置。
【請求項６６】
ネットワーク装置であって、プロセッサ及びメモリを備え、該メモリはコンピュータプログラムを記憶することに用いられ、前記プロセッサは前記メモリに記憶されるコンピュータプログラムを呼び出して実行し、請求項１７〜３２のいずれか１項に記載の方法を実行することに用いられることを特徴とするネットワーク装置。
【請求項６７】
チップであって、
メモリからコンピュータプログラムを呼び出して実行し、前記チップを搭載する装置に請求項１〜１６のいずれか１項に記載のサイドリンクタイプを決定する方法を実行させることに用いられるプロセッサを備えることを特徴とするチップ。
【請求項６８】
チップであって、
メモリからコンピュータプログラムを呼び出して実行し、前記チップを搭載する装置に請求項１７〜３２のいずれか１項に記載のサイドリンクタイプを決定する方法を実行させることに用いられるプロセッサを備えることを特徴とするチップ。
【請求項６９】
コンピュータ可読記憶媒体であって、コンピュータプログラムを記憶することに用いられ、前記コンピュータプログラムはコンピュータに請求項１〜１６のいずれか１項に記載の方法を実行させることを特徴とするコンピュータ可読記憶媒体。
【請求項７０】
コンピュータ可読記憶媒体であって、コンピュータプログラムを記憶することに用いられ、前記コンピュータプログラムはコンピュータに請求項１７〜３２のいずれか１項に記載の方法を実行させることを特徴とするコンピュータ可読記憶媒体。
【請求項７１】
コンピュータプログラム製品であって、コンピュータプログラム命令を含み、該コンピュータプログラム命令はコンピュータに請求項１〜１６のいずれか１項に記載のサイドリンクタイプを決定する方法を実行させることを特徴とするコンピュータプログラム製品。
【請求項７２】
コンピュータプログラム製品であって、コンピュータプログラム命令を含み、該コンピュータプログラム命令はコンピュータに請求項１７〜３２のいずれか１項に記載のサイドリンクタイプを決定する方法を実行させることを特徴とするコンピュータプログラム製品。
【請求項７３】
コンピュータに請求項１〜１６のいずれか１項に記載の方法を実行させることを特徴とするコンピュータプログラム。
【請求項７４】
コンピュータに請求項１７〜３２のいずれか１項に記載の方法を実行させることを特徴とするコンピュータプログラム。
【発明の詳細な説明】
【関連出願の相互参照】
【０００１】
本願は、２０１８年６月２９日に中国特許局に提出され、出願番号が２０１８１０７０１６３５．２、発明の名称が「サイドリンクタイプを決定する方法、端末装置、及びネットワーク装置」の中国特許出願の優先権を主張し、その全部の内容は引用によって本願に組み込まれる。
【技術分野】
【０００２】
本願は通信分野に関し、具体的にサイドリンクタイプを決定する方法、端末装置、及びネットワーク装置に関する。
【背景技術】
【０００３】
車とモノの通信（Ｖ２Ｘ、ｖｅｈｉｃｌｅ  ｔｏ  ｅｖｅｒｙｔｈｉｎｇ）システムはロングタームエボリューション（ＬＴＥ、Ｌｏｎｇ  Ｔｅｒｍ  Ｅｖｏｌｕｔｉｏｎ）‐端末ダイレクト（Ｄ２Ｄ、Ｄｅｖｉｃｅ  ｔｏ  Ｄｅｖｉｃｅ）に基づくサイドリンク（ＳＬ、Ｓｉｄｅｌｉｎｋ）伝送技術であり、従来のＬＴＥシステムにおける、通信データが基地局を介して送受信される方式と異なり、車とモノの通信システムは端末から端末への直接通信という方式を採用するため、より高いスペクトル効率及びより低い伝送遅延を有する。
【０００４】
３ＧＰＰのバージョン１４（Ｒｅｌ−１４）では、車とモノの通信技術の標準化が行われ、モード３及びモード４という２つの伝送モードが定義されている。モード３では、車載端末の伝送リソースは基地局によって割り当てられるものであり、車載端末は基地局によって割り当てられたリソースに基づいてサイドリンクにおいてデータの送信を行う。基地局は端末に１回伝送のリソースを割り当てることもできるし、端末に準静的伝送のリソースを割り当てることもできる。
【０００５】
車とモノの通信システムでは、ＬＴＥ−Ｖ２Ｘ及びＮＲ−Ｖ２Ｘという２つのタイプのサイドリンクが同時に存在する可能性があり、車載端末でも、それに対応してこれらの２種類のサイドリンク構造を同時にサポートする可能性がある。ＬＴＥ−Ｖ２Ｘタイプのサイドリンクと比べて、ＮＲ−Ｖ２Ｘタイプのサイドリンクアーキテクチャでは、自動運転がサポートされる必要があるため、車両間のデータインタラクションについてより高い要求、例えばより高いスループット、より低い遅延、より高い信頼性、より大きいカバレッジ、より柔軟なリソース割り当て等が求められる。上記の要求を満足するために、ＮＲ−Ｖ２Ｘタイプのサイドリンクはより大きい帯域幅、例えば何十メガヘルツ乃至更に大きい帯域幅をサポートする場合があるし、より柔軟なタイムスロット構造をサポートし、例えば複数のサブキャリア間隔をサポートする場合もある（ＬＴＥ−Ｖ２Ｘのサイドリンクでは１５ｋＨｚという１種類のサブキャリア間隔しかない）。
【０００６】
サイドリンクの伝送リソースがネットワーク装置によってスケジューリングされる場合、例えば、モード３では、ネットワーク装置から送信されたスケジューリングシグナリングがＬＴＥ−Ｖ２ＸそれともＮＲ−Ｖ２Ｘタイプのサイドリンクをスケジューリングするためのものかを区分することができない。
【発明の概要】
【発明が解決しようとする課題】
【０００７】
本願実施例はサイドリンクタイプを決定する方法、端末装置、及びネットワーク装置を提供し、リソーススケジューリングの柔軟性を高めることができる。
【課題を解決するための手段】
【０００８】
第１態様では方法を提供し、
ネットワーク装置から送信されたダウンリンク制御情報（ＤＣＩ、Ｄｏｗｎｌｉｎｋ  Ｃｏｎｔｒｏｌ  Ｉｎｆｏｒｍａｔｉｏｎ）を受信することと、
事前に設定されたルールに従って、前記ＤＣＩに基づいて、第１タイプサイドリンク又は第２タイプサイドリンクがターゲットサイドリンクであることを決定し、前記第１タイプサイドリンクと前記第２タイプサイドリンクとの設定パラメータが異なることと、
前記ターゲットサイドリンクを採用してサイドリンクのデータ伝送を行うことと、を含む。
【０００９】
第２態様では方法を提供し、端末装置にダウンリンク制御情報（ＤＣＩ）を送信し、前記ＤＣＩは前記端末装置が事前に設定されたルールに従って第１タイプサイドリンク又は第２タイプサイドリンクがターゲットサイドリンクであることを決定することに用いられ、前記第１タイプサイドリンクと前記第２タイプサイドリンクとの設定パラメータが異なり、前記ターゲットサイドリンクは前記端末装置がサイドリンクのデータ伝送を行うことに用いられることを含む。
【００１０】
第３態様では端末装置を提供し、上記第１態様又はその各実現方式における方法を実行することに用いられる。
【００１１】
具体的に、該端末装置は上記第１態様又はその各実現方式における方法を実行するための機能モジュールを備える。
【００１２】
第４態様ではネットワーク装置を提供し、上記第２態様又はその各実現方式における方法を実行することに用いられる。
【００１３】
具体的に、該ネットワーク装置は上記第２態様又はその各実現方式における方法を実行するための機能モジュールを備える。
【００１４】
第５態様では端末装置を提供し、プロセッサ及びメモリを備える。該メモリはコンピュータプログラムを記憶することに用いられ、該プロセッサは該メモリに記憶されるコンピュータプログラムを呼び出して実行し、上記第１態様又はその各実現方式における方法を実行することに用いられる。
【００１５】
第６態様ではネットワーク装置を提供し、プロセッサ及びメモリを備える。該メモリはコンピュータプログラムを記憶することに用いられ、該プロセッサは該メモリに記憶されるコンピュータプログラムを呼び出して実行し、上記第２態様又はその各実現方式における方法を実行することに用いられる。
【００１６】
第７態様ではチップを提供し、上記第１態様〜第２態様のいずれか１つ又はその各実現方式における方法を実現することに用いられる。
【００１７】
具体的に、該チップは、メモリからコンピュータプログラムを呼び出して実行し、該チップを搭載する装置に上記第１態様〜第２態様のいずれか１つ又はその各実現方式における方法を実行させることに用いられるプロセッサを備える。
【００１８】
第８態様ではコンピュータ可読記憶媒体を提供し、コンピュータプログラムを記憶することに用いられ、該コンピュータプログラムはコンピュータに上記第１態様〜第２態様のいずれか１つ又はその各実現方式における方法を実行させる。
【００１９】
第９態様ではコンピュータプログラム製品を提供し、コンピュータプログラム命令を含み、該コンピュータプログラム命令はコンピュータに上記第１態様〜第２態様のいずれか１つ又はその各実現方式における方法を実行させる。
【００２０】
第１０態様ではコンピュータプログラムを提供し、それがコンピュータにおいて実行される時、コンピュータは上記第１態様〜第２態様のいずれか１つ又はその各実現方式における方法を実行する。
【００２１】
上記の技術案によれば、ネットワーク装置によって端末装置にサイドリンク伝送リソースがスケジューリングされる場合、ネットワーク装置から送信されたＤＣＩに基づいて、事前に設定されたルールに従って、サイドリンクタイプを決定し、例えば、ＤＣＩを搬送するキャリアのタイプ、サーチスペースタイプ、ＤＣＩフォーマット、ＤＣＩをスクランブルするＲＮＴＩ等の方式によってサイドリンクタイプを指示し、それによって端末装置はネットワーク装置がＬＴＥ−Ｖ２ＸそれともＮＲ−Ｖ２Ｘをスケジューリングするかを決定することができ、システムリソーススケジューリングの柔軟性が高められる。
【図面の簡単な説明】
【００２２】
【図１】図１は本願実施例による通信システムアーキテクチャの模式図である。
【図２】図２は本願実施例によるＶ２Ｘシステムにおける伝送モードの模式図である。
【図３】図３は本願実施例によるサイドリンクタイプを決定する方法の模式図である。
【図４】図４は本願実施例によるサイドリンクタイプを決定する方法の他の模式図である。
【図５】図５は本願実施例による端末装置の模式的なブロック図である。
【図６】図６は本願実施例によるネットワーク装置の模式的なブロック図である。
【図７】図７は本願実施例による通信装置の模式的なブロック図である。
【図８】図８は本願実施例によるチップの模式的なブロック図である。
【図９】図９は本願実施例による通信システムの模式的なブロック図である。
【発明を実施するための形態】
【００２３】
以下は、本願実施例の図面を参照しながら、本願実施例における技術案を説明する。明らかに、説明される実施例は本願の一部の実施例であり、全部の実施例ではない。本願における実施例に基づいて、当業者が創造的な労力を要することなく獲得する全ての他の実施例は、いずれも本願の保護範囲に属する。
【００２４】
本願実施例の技術案は各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇシステム等に適用できる。
【００２５】
例として、本願実施例に適用される通信システム１００は図１に示される。該通信システム１００はネットワーク装置１１０を備えてもよく、ネットワーク装置１１０は端末装置１２０（又は通信端末、端末と称される）と通信する装置であってもよい。ネットワーク装置１１０は特定の地理的区域に通信カバレッジを提供でき、そして該カバレッジ区域内に位置する端末装置と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラである。又は、該ネットワーク装置はモバイルスイッチングセンター、中継局、アクセスポイント、車載装置、ウェアラブルデバイス、ハブ、交換機、ブリッジ、ルーター、５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２６】
該通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブル接続、及び／又は他のデータ接続／ネットワークを介して接続された装置、及び／又は無線インタフェース、例えば、セルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、ＤＶＢ−Ｈネットワーク等のデジタルテレビネットワーク、衛星ネットワーク、ＡＭ−ＦＭ放送送信機を介して接続された装置、及び／又は他の端末装置の、通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インタフェースを介して通信するように設定される端末装置は「無線通信端末」、「無線端末」又は「モバイル端末」と称されてもよい。モバイル端末の例は衛星又はセルラー方式の電話、セルラー無線電話とデータ処理、ファックス、及びデータ通信能力を組み合わせることのできる個人通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えることのできるＰＤＡ、及び通常のラップトップタイプ及び／又はパームトップタイプの受信機、又は無線電話送受信機を備える他の電子装置を含むが、それらに限らない。端末装置とはアクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、モバイルデバイス、ユーザ端末、端末、無線通信装置、ユーザエージェント、又はユーザデバイスを指してもよい。アクセス端末はセルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えるハンドヘルド装置、計算装置又は無線モデムに接続される他の処理装置、車載装置、ウェアラブル装置、５Ｇネットワークにおける端末装置又は将来進化するＰＬＭＮにおける端末装置等であってもよい。
【００２７】
選択肢として、端末装置１２０同士の間では端末ダイレクト（Ｄ２Ｄ、Ｄｅｖｉｃｅ  ｔｏ  Ｄｅｖｉｃｅ）通信を行うことができる。
【００２８】
選択肢として、５Ｇシステム又は５Ｇネットワークは更に新無線（ＮＲ、Ｎｅｗ  Ｒａｄｉｏ）システム又はＮＲネットワークと称されてもよい。
【００２９】
図１は１つのネットワーク装置と２つの端末装置を例示しているが、選択肢として、該通信システム１００は複数のネットワーク装置を備えてもよく、そして各ネットワーク装置のカバレッジ範囲内に他の数の端末装置が含まれてもよく、本願実施例はこれについて限定しない。
【００３０】
選択肢として、該通信システム１００はネットワークコントローラ、移動管理エンティティ等の他のネットワークエンティティを更に備えてもよく、本願実施例はこれについて限定しない。
【００３１】
理解されるように、本願実施例におけるネットワーク／システムにおける通信機能を備える装置は通信装置と称されてもよい。図１に示す通信システム１００を例とすると、通信装置は通信機能を有するネットワーク装置１１０及び端末装置１２０を含んでもよく、ネットワーク装置１１０及び端末装置１２０は上記の具体的な装置であってもよく、ここでは繰り返して説明しない。通信装置は更に通信システム１００における他の装置、例えば、ネットワークコントローラ、移動管理エンティティ等の他のネットワークエンティティを含んでもよく、本願実施例はこれについて限定しない。
【００３２】
本願実施例では、図１に示す通信システム１００におけるネットワーク装置１１０及び端末装置１２０が車とモノの通信（Ｖ２Ｘ、ｖｅｈｉｃｌｅ  ｔｏ  ｅｖｅｒｙｔｈｉｎｇ）システムに属するのを例として説明する。Ｖ２ＸはＬＴＥ−Ｄ２Ｄに基づくサイドリンク（ＳＬ、Ｓｉｄｅｌｉｎｋ）伝送技術であり、従来のＬＴＥシステムにおける、通信データが基地局を介して送受信される方式と異なり、車とモノの通信システムは端末から端末への直接通信という方式を採用するため、より高いスペクトル効率及びより低い伝送遅延を有する。
【００３３】
３ＧＰＰのバージョン１４（Ｒｅｌ−１４）では、車とモノの通信技術の標準化が行われ、図２に示す２つの伝送モード、即ち、モード３及びモード４が定義されている。
【００３４】
モード３では、車載端末の伝送リソースは基地局によって割り当てられるものであり、車載端末は基地局がダウンリンク（ＤＬ、ｄｏｗｎ  ｌｉｎｋ）を介して割り当てたリソースに基づいてサイドリンクにおいてデータの送信を行う。基地局は端末に１回伝送のリソースを割り当てることもできるし、端末に準静的伝送のリソースを割り当てることもできる。
【００３５】
モード４では、車載端末はセンシング（ｓｅｎｓｉｎｇ）＋予約（ｒｅｓｅｒｖａｔｉｏｎ）の伝送方式を採用する。車載端末はリソースプールにおいてセンシングの方式によって使用可能な伝送リソースセットを取得し、端末は該セットからランダムに１つのリソースを選択してデータの伝送を行う。車とモノの通信システムにおけるサービスが周期的という特徴を有するため、端末は通常、準静的伝送の方式を採用し、即ち、端末は１つの伝送リソースを選択した後、複数の伝送周期において該リソースを使用し続け、それによって、リソース再選択及びリソース衝突の確率が低減される。端末は今回伝送の制御情報において次回伝送リソースを予約する情報を含み、それによって他の端末は該ユーザの制御情報を検出することによってそのリソースが該ユーザによって予約及び使用されたかどうかを判断することができ、リソース衝突低減の目的が実現される。
【００３６】
車とモノの通信システムでは、ＬＴＥ−Ｖ２Ｘ及びＮＲ−Ｖ２Ｘという２つのタイプのサイドリンクが同時に存在する可能性がある。ＬＴＥ−Ｖ２Ｘタイプのサイドリンクと比べて、ＮＲ−Ｖ２Ｘタイプのサイドリンクアーキテクチャでは、自動運転がサポートされる必要があるため、車両間のデータインタラクションについてより高い要求、例えばより高いスループット、より低い遅延、より高い信頼性、より大きいカバレッジ、より柔軟なリソース割り当て等が求められる。上記の要求を満足するために、ＮＲ−Ｖ２Ｘタイプのサイドリンクはより大きい帯域幅、例えば何十メガヘルツ乃至更に大きい帯域幅をサポートする場合があるし、より柔軟なタイムスロット構造をサポートし、例えば複数のサブキャリア間隔をサポートする場合もある（ＬＴＥ−Ｖ２Ｘのサイドリンクでは１５ｋＨｚという１種類のサブキャリア間隔しかない）。
【００３７】
車載端末では、この２つの種類のサイドリンク構造が同時にサポートされる可能性がある。サイドリンクの伝送リソースがネットワーク装置によってスケジューリングされる場合、ネットワーク装置から送信されたスケジューリングシグナリングがＬＴＥ−Ｖ２ＸそれともＮＲ−Ｖ２Ｘタイプのサイドリンクをスケジューリングするためのものかを区分する必要がある。従って、本願実施例はサイドリンクタイプを決定する方法を提出する。
【００３８】
具体的に、図３は本願実施例によるサイドリンクタイプを決定する方法２００の模式的なフローチャートを示し、該方法２００は端末装置によって実行されることができる。図３に示すように、該方法２００は、
ネットワーク装置から送信されたＤＣＩを受信するＳ２１０と、
事前に設定されたルールに従って、該ＤＣＩに基づいて、第１タイプサイドリンク又は第２タイプサイドリンクがターゲットサイドリンクであることを決定し、該第１タイプサイドリンクと該第２タイプサイドリンクとの設定パラメータが異なるＳ２２０と、
該ターゲットサイドリンクを採用してサイドリンクのデータ伝送を行うＳ２３０と、を含む。
【００３９】
本願実施例では、該第１タイプサイドリンクと第２タイプサイドリンクは異なるタイプのサイドリンクであり、異なるタイプのサイドリンクの設定パラメータは異なり、選択肢として、該設定パラメータは帯域幅又はサブキャリア間隔を含んでもよい。例えば、第１タイプサイドリンクのサポートする最大帯域幅は２０ＭＨｚであり、第２タイプサイドリンクのサポートする最大帯域幅は４００ＭＨｚであり、また例えば、第１タイプサイドリンクのサポートするサブキャリア間隔は１５ｋＨｚしかなく、第２タイプサイドリンクは１つより多くのサブキャリア間隔をサポートし、例えば、１５ｋＨｚ，３０ｋＨｚ，６０ｋＨｚのサブキャリア間隔をサポートする。選択肢として、該設定パラメータは帯域幅部分を含んでもよく、例えば、第２タイプサイドリンクの設定パラメータは帯域幅部分パラメータを含み、第１タイプサイドリンクの設定パラメータは帯域幅部分パラメータを含まない。選択肢として、該設定パラメータはキャリアインデックスを含む。例えば、第１タイプサイドリンクのキャリアインデックスは１であり、第２タイプサイドリンクのキャリアインデックスは２である。選択肢として、該設定パラメータはサイドリンクフィードバックチャネルのパラメータ情報を含む。例えば、第２タイプサイドリンクはサイドリンクフィードバックチャネルをサポートし、該設定パラメータにサイドリンクフィードバックチャネルのパラメータ情報が含まれ、第１タイプサイドリンクはサイドリンクフィードバックチャネルをサポートしなく、該設定パラメータにサイドリンクフィードバックチャネルのパラメータ情報が含まれない。
【００４０】
選択肢として、該第１タイプサイドリンクと第２タイプサイドリンクは異なる通信技術をサポートする。例えば、該第１タイプサイドリンクはＬＴＥシステムをサポートするサイドリンクであってもよく、それに対して、第２タイプサイドリンクはＮＲシステムをサポートするサイドリンクであってもよい。又は、該第１タイプサイドリンクはＮＲシステムをサポートするサイドリンクであってもよく、それに対して、第２タイプサイドリンクはＬＴＥシステムをサポートするサイドリンクであってもよい。ＬＴＥシステムをサポートするサイドリンクとＮＲシステムをサポートするサイドリンクの設定パラメータは異なり、例えば、ＮＲシステムをサポートするサイドリンクはより大きい帯域幅をサポートでき、又は、より柔軟なタイムスロット構造を有し、例えば、複数のサブキャリア間隔をサポートし、それに対して、ＬＴＥシステムをサポートするサイドリンクのサブキャリア間隔は１５ｋＨｚしかない。
【００４１】
理解されるように、端末装置は事前に設定されたルールに従って、受信したＤＣＩに基づいて、ターゲットサイドリンクのタイプが第１タイプサイドリンク又は第２タイプサイドリンクであることを決定することができる。該事前に設定されたルールは事前に設定されたものであってもよく、又は該事前に設定されたルールはネットワーク装置によって設定されたものであり、即ち、端末装置はネットワーク装置から送信された事前に設定されたルールを受信し、本願実施例はこれに限らない。
【００４２】
選択肢として、１つの実施例として、該事前に設定されたルールは、端末装置が該ＤＣＩにおけるタイプフィールドに基づいてターゲットサイドリンクのタイプを決定することを含んでもよい。具体的に、該ＤＣＩにタイプフィールドが含まれてもよく、該タイプフィールドはターゲットサイドリンクのタイプを決定することに用いられ、例えば、該タイプフィールドの長さは１ビット又は複数ビットであってもよい。該事前に設定されたルールは、該タイプフィールドが第１値である場合、該第１タイプサイドリンクが該ターゲットサイドリンクであることを決定し、該タイプフィールドが第２値である場合、該第２タイプサイドリンクが該ターゲットサイドリンクであることを決定することを含んでもよい。
【００４３】
例えば、該タイプフィールドは１ビットであってもよい。該タイプフィールドが第１値であり、該第１値が１である場合、該ターゲットサイドリンクがＬＴＥシステムをサポートするサイドリンクであることを決定する。該タイプフィールドが第２値であり、該第２値が０である場合、該ターゲットサイドリンクがＮＲシステムをサポートするサイドリンクであることを決定する。
【００４４】
更に例えば、該タイプフィールドは複数ビット、例えば３ビットであってもよい。該タイプフィールドが第１値であり、該第１値が１１１である場合、該ターゲットサイドリンクがＬＴＥシステムをサポートするサイドリンクであることを決定する。該タイプフィールドが第２値であり、該第２値が０００である場合、該ターゲットサイドリンクがＮＲシステムをサポートするサイドリンクであることを決定する。
【００４５】
選択肢として、１つの実施例として、該事前に設定されたルールは、該ＤＣＩが指示情報フィールドを含み、端末装置が該指示情報フィールドに基づいてターゲットサイドリンクのタイプを決定することを含んでもよい。具体的に、該指示情報フィールドが第１パラメータセットを指示する場合、端末装置は該第１タイプサイドリンクが該ターゲットサイドリンクであることを決定し、該指示情報フィールドが第２パラメータセットを指示する場合、端末装置は該第２タイプサイドリンクが該ターゲットサイドリンクであることを決定する。該指示情報フィールドはＫ個の情報フィールドを含んでもよく、Ｋ個の情報フィールドの値に第１パラメータセットが対応する場合、該ターゲットサイドリンクが第１タイプサイドリンクであることを決定し、該第１タイプサイドリンクはＬＴＥシステムをサポートするサイドリンクであり、逆に、Ｋ個の情報フィールドの値に第２パラメータセットが対応する場合、該ターゲットサイドリンクが第２タイプサイドリンクであることを決定し、該第２タイプサイドリンクはＮＲシステムをサポートするサイドリンクである。Ｋは１より大きい整数である。
【００４６】
例えば、該指示情報フィールドはＤＣＩにおける２つの情報フィールドを含んでもよい。第１情報フィールドの値が第１パラメータであり、第２情報フィールドの値が第２パラメータであり、且つ第１パラメータと第２パラメータの組み合わせが第１パラメータセットである場合、該ターゲットサイドリンクがＬＴＥシステムをサポートするサイドリンクであることを決定し、又は、第１情報フィールドの値が第３パラメータであり、第２情報フィールドの値が第４パラメータであり、且つ第３パラメータと第４パラメータの組み合わせが第２パラメータセットである場合、該ターゲットサイドリンクがＮＲシステムをサポートするサイドリンクであることを決定する。
【００４７】
例えば、該指示情報はＤＣＩにおけるハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）プロセス指示情報及び変調符号化方式（ＭＣＳ、Ｍｏｄｕｌａｔｉｏｎ  ａｎｄ  Ｃｏｄｉｎｇ  Ｓｃｈｅｍｅ）指示情報を含んでもよい。例えば、ＨＡＲＱプロセス指示情報は４ビットを有し、ＭＣＳ指示情報は５ビットを有し、ＨＡＲＱプロセス指示情報の値が００００であり、ＭＣＳ指示情報の値が０００００である場合、該値００００と０００００の組み合わせは第１パラメータセットであり、ターゲットサイドリンクがＬＴＥシステムをサポートするサイドリンクであることを決定し、ＨＡＲＱプロセス指示情報の値が１１１１であり、ＭＣＳ指示情報の値が１１１１１である場合、該値１１１１と１１１１１の組み合わせは第２パラメータセットであり、ターゲットサイドリンクがＮＲシステムをサポートするサイドリンクであることを決定する。
【００４８】
理解されるように、該タイプフィールドの値とターゲットサイドリンクのタイプとの間の対応関係は事前に設定されたもの又はネットワーク装置によって設定されたものであってもよい。それと似ていて、指示情報フィールドとターゲットサイドリンクのタイプとの間の対応関係も事前に設定されたもの又はネットワーク装置によって設定されたものであってもよい。例えば、ネットワーク装置は端末装置に設定情報を送信し、該設定情報はタイプフィールドの値とターゲットサイドリンクのタイプとの間の対応関係を含む。
【００４９】
選択肢として、１つの実施例として、該事前に設定されたルールは、ＤＣＩをスクランブルする無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）に基づいてターゲットサイドリンクのタイプを決定することを含んでもよい。具体的に、該事前に設定されたルールは、該ＤＣＩが第１ＲＮＴＩでスクランブルされる場合、第１タイプサイドリンクを使用し、即ち、該ターゲットサイドリンクのタイプが第１タイプサイドリンクであることを決定し、該ＤＣＩが第２ＲＮＴＩでスクランブルされる場合、第２タイプサイドリンクを使用し、即ち、該第２タイプサイドリンクが該ターゲットサイドリンクであることを決定し、該第２ＲＮＴＩと第１ＲＮＴＩが異なることを含んでもよい。
【００５０】
例えば、該第１ＲＮＴＩはサイドリンク車両ＲＮＴＩ（ＳＬ−Ｖ−ＲＮＴＩ、ｓｉｄｅｌｉｎｋ  ｖｅｈｉｃｌｅ  ＲＮＴＩ）であってもよく、それに対して、該第２ＲＮＴＩはＳＬ−Ｖ−ＲＮＴＩ以外の他の１つのＲＮＴＩである。
【００５１】
理解されるように、該ＲＮＴＩとターゲットサイドリンクのタイプとの間の対応関係は事前に設定されたもの又はネットワーク装置によって設定されたものであってもよい。例えば、ネットワーク装置は端末装置に設定情報を送信し、該設定情報はＲＮＴＩの値とターゲットサイドリンクのタイプとの間の対応関係を含み、それによって、端末装置はＤＣＩをスクランブルするＲＮＴＩに基づいて、該ＲＮＴＩに対応するサイドリンクのタイプがターゲットサイドリンクのタイプであることを決定することができる。
【００５２】
選択肢として、１つの実施例として、該事前に設定されたルールは、端末装置が該ＤＣＩのフォーマットに基づいて該ターゲットサイドリンクのタイプを決定することを含んでもよい。具体的に、端末装置は受信したＤＣＩのフォーマットが第１フォーマット又は第２フォーマットであることを決定し、該事前に設定されたルールは、該ＤＣＩが第１フォーマットのＤＣＩである場合、第１タイプサイドリンクをスケジューリングし、即ち、該第１タイプサイドリンクが該ターゲットサイドリンクであることを決定し、該ＤＣＩが第２フォーマットのＤＣＩである場合、第２タイプサイドリンクをスケジューリングし、即ち、該第２タイプサイドリンクが該ターゲットサイドリンクであることを決定することを含んでもよい。
【００５３】
理解されるように、該ＤＣＩのフォーマットとターゲットサイドリンクのタイプとの間の対応関係は事前に設定されたもの又はネットワーク装置によって設定されたものであってもよい。例えば、ネットワーク装置は端末装置に設定情報を送信し、該設定情報は該ＤＣＩフォーマットとターゲットサイドリンクのタイプとの間の対応関係を含む。
【００５４】
選択肢として、１つの実施例として、該事前に設定されたルールは、該ＤＣＩを搬送するサーチスペースに基づいてターゲットサイドリンクのタイプを決定し、例えば、該ＤＣＩを搬送するサーチスペースのタイプに基づいて第１タイプサイドリンク又は第２タイプサイドリンクがターゲットサイドリンクであることを決定することを含んでもよい。具体的に、該事前に設定されたルールは、第１タイプサーチスペースによって該ＤＣＩを搬送する場合、第１タイプサイドリンクをスケジューリングし、即ち、該第１タイプサイドリンクが該ターゲットサイドリンクであることを決定し、第２タイプサーチスペースによって該ＤＣＩを搬送する場合、第２タイプサイドリンクをスケジューリングし、即ち、該第２タイプサイドリンクが該ターゲットサイドリンクであることを決定することを含んでもよい。該ＤＣＩを搬送するサーチスペースは共通サーチスペースであってもよく、又は端末装置の専用サーチスペースであってもよい。例えば、該ＤＣＩが共通サーチスペースにおいて送信される場合、第１タイプサイドリンクをスケジューリングし、ＤＣＩがＵＥ専用サーチスペースにおいて送信される場合、第２タイプサイドリンクをスケジューリングする。
【００５５】
理解されるように、ＤＣＩを搬送するサーチスペースのタイプとターゲットサイドリンクのタイプとの間の対応関係は事前に設定されたもの又はネットワーク装置によって設定されたものであってもよい。例えば、ネットワーク装置は端末装置に設定情報を送信し、該設定情報はＤＣＩを搬送するサーチスペースのタイプとターゲットサイドリンクのタイプとの間の対応関係を含む。
【００５６】
選択肢として、１つの実施例として、該事前に設定されたルールは、該ＤＣＩを搬送するサーチスペースに基づいてターゲットサイドリンクのタイプを決定し、例えば、該ＤＣＩを搬送するサーチスペースのインデックスに基づいて第１タイプサイドリンク又は第２タイプサイドリンクがターゲットサイドリンクであることを決定することを含んでもよい。具体的に、前記ＤＣＩを搬送するサーチスペースのインデックスが第３値である場合、第１タイプサイドリンクをスケジューリングし、即ち、前記第１タイプサイドリンクが前記ターゲットサイドリンクであることを決定し、前記ＤＣＩを搬送するサーチスペースのインデックスが第４値である場合、第２タイプサイドリンクをスケジューリングし、即ち、前記第２タイプサイドリンクが前記ターゲットサイドリンクであることを決定する。
【００５７】
例えば、ＮＲシステムにおいて、ネットワーク装置は端末装置に複数のサーチスペースを設定してもよく、該ＤＣＩを搬送するサーチスペースのインデックスが第３値であり、例えば、該第３値が０又は偶数である場合、第１タイプサイドリンクをスケジューリングし、該ＤＣＩを搬送するサーチスペースのインデックスが第４値であり、例えば、該第４値が１又は奇数である場合、第２タイプサイドリンクをスケジューリングする。
【００５８】
理解されるように、ＤＣＩを搬送するサーチスペースのインデックスとターゲットサイドリンクのタイプとの間の対応関係は事前に設定されたもの又はネットワーク装置によって設定されたものであってもよい。例えば、ネットワーク装置は端末装置に設定情報を送信し、該設定情報はＤＣＩを搬送するサーチスペースのインデックスとターゲットサイドリンクのタイプとの間の対応関係を含む。
【００５９】
選択肢として、１つの実施例として、該事前に設定されたルールは更に、該ＤＣＩを搬送する制御リソースセットに基づいてターゲットサイドリンクのタイプを決定することを含んでもよい。具体的に、該事前に設定されたルールは、第１制御リソースセットによって該ＤＣＩを搬送する場合、該端末装置は該第１タイプサイドリンクが該ターゲットサイドリンクであることを決定し、第２制御リソースセットによって該ＤＣＩを搬送する場合、該端末装置は該第２タイプサイドリンクが該ターゲットサイドリンクであることを決定することを含んでもよい。
【００６０】
理解されるように、ＤＣＩを搬送する制御リソースセットとターゲットサイドリンクのタイプとの間の対応関係は事前に設定されたもの又はネットワーク装置によって設定されたものであってもよい。例えば、ネットワーク装置は端末装置に設定情報を送信し、該設定情報はＤＣＩを搬送する制御リソースセットとターゲットサイドリンクのタイプとの間の対応関係を含む。
【００６１】
選択肢として、１つの実施例として、該事前に設定されたルールは、該ＤＣＩを搬送するキャリア又は周波数帯域に基づいてターゲットサイドリンクのタイプを決定することを含んでもよい。具体的に、ダウンリンクにおいて、ＬＴＥとＮＲシステムが共存する場合があり、即ち、端末装置はＬＴＥとＮＲのダウンリンクを同時にサポートする可能性があり、しかし、ＬＴＥとＮＲシステムの採用するキャリア又は周波数帯域が異なり、例えば、ＬＴＥシステムの周波数帯域は２ＧＨｚにあるが、ＮＲシステムの周波数帯域は３．４ＧＨｚにあり、ネットワーク装置はＬＴＥキャリア及び／又はＮＲキャリアによってサイドリンクのリソースをスケジューリングしてもよい。それに対応して、該事前に設定されたルールは、該ＤＣＩを搬送するキャリア又は周波数帯域が第１周波数である場合、該第１タイプサイドリンクが該ターゲットサイドリンクであることを決定し、該ＤＣＩを搬送する該キャリア又は周波数帯域が第２周波数である場合、該第２タイプサイドリンクが該ターゲットサイドリンクであることを決定することを含んでもよい。
【００６２】
例えば、該第１周波数はＬＴＥキャリアに対応し、即ちＬＴＥキャリアにおいて該ＤＣＩを送信し、第１タイプサイドリンクをスケジューリングすることに用いられてもよく、該第２周波数はＮＲキャリアに対応し、即ちＮＲキャリアにおいて該ＤＣＩを送信し、第２タイプサイドリンクをスケジューリングすることに用いられてもよい。
【００６３】
理解されるように、ＤＣＩを搬送するキャリア又は周波数帯域のタイプとターゲットサイドリンクのタイプとの間の対応関係は事前に設定されたもの又はネットワーク装置によって設定されたものであってもよい。例えば、ネットワーク装置は端末装置に設定情報を送信し、該設定情報はＤＣＩを搬送するキャリア又は周波数帯域のタイプとターゲットサイドリンクのタイプとの間の対応関係を含む。
【００６４】
選択肢として、１つの実施例として、該事前に設定されたルールは、該ＤＣＩにおけるキャリア指示情報に基づいてターゲットサイドリンクのタイプを決定することを含んでもよい。具体的に、該ＤＣＩはキャリア指示情報を含んでもよく、該キャリア指示情報は相応のサイドリンクキャリアにおいて他の端末装置とデータ伝送を行うように該端末装置に指示することに用いられる。同様に、該キャリア指示情報及び第１対応関係に基づいて、更にターゲットサイドリンクのタイプを決定することができ、即ち、該事前に設定されたルールは、該キャリア指示情報及び第１対応関係に基づいて、該第１タイプサイドリンク又は該第２タイプサイドリンクが該ターゲットサイドリンクであることを決定し、該第１対応関係は該キャリア指示情報と該ターゲットサイドリンクのタイプとの対応関係を指示することに用いられることを含んでもよい。
【００６５】
例えば、該端末装置のサイドリンクはＬＴＥキャリア及びＮＲキャリアを含んでもよく、ＬＴＥキャリアでサイドリンクを伝送する場合、即ち、ターゲットサイドリンクのタイプがＬＴＥシステムをサポートするサイドリンクであることを決定し、ＮＲキャリアでサイドリンクを伝送する場合、即ち、ターゲットサイドリンクのタイプがＮＲシステムをサポートするサイドリンクであることを決定する。そして、該ＬＴＥキャリア及びＮＲキャリアとキャリアインデックスとの間に対応関係が存在し、該ＤＣＩのキャリア指示情報は該キャリアインデックスを含み、即ち、ＤＣＩのキャリア指示情報とターゲットサイドリンクとの間にも対応関係、即ち第１対応関係が存在する。選択肢として、上記キャリアとキャリアインデックスとの間の対応関係又は第１対応関係はネットワーク装置によって設定されたもの又は事前に設定されたものであってもよく、又は端末装置からネットワーク装置に報告されたものである。
【００６６】
例えば、端末装置のサイドリンクは２つのＬＴＥキャリア、４つのＮＲキャリアをサポートし、それぞれに対応するインデックスは、ＬＴＥキャリアにおいては０００及び００１であり、ＮＲキャリアにおいては１００、１０１、１１０及び１１１である。該ＤＣＩにおけるキャリア指示情報に含まれるインデックス情報に基づいて、端末装置の採用するサイドリンクキャリアを決定する。例えば、ＤＣＩに含まれるキャリア指示情報が１０１であれば、端末装置はＮＲキャリアを採用してサイドリンクのデータ伝送を行い、また該端末装置のターゲットサイドリンクのタイプがＮＲシステムをサポートするサイドリンクであることを決定してもよい。
【００６７】
理解されるように、該方法２００は更に、端末装置がネットワーク装置から送信された事前に設定されたルールを受信し、それによって端末装置は該事前に設定されたルールに基づいてターゲットサイドリンクのタイプを決定することができることを含んでもよい。例えば、端末装置はネットワーク装置から送信された事前に設定されたルールを受信し、該事前に設定されたルールは、該ＤＣＩを搬送するサーチスペースのタイプに基づいてターゲットサイドリンクのタイプを決定することであってもよい。そうすると、端末装置は、事前に設定され又はネットワーク装置によって設定された、該ＤＣＩを搬送するサーチスペースのタイプとターゲットサイドリンクのタイプとの間の対応関係に従って、ターゲットサイドリンクのタイプを決定する。
【００６８】
従って、本願実施例のサイドリンクタイプを決定する方法では、ネットワーク装置が端末装置にサイドリンク伝送リソースをスケジューリングする場合、ネットワーク装置から送信されたＤＣＩに基づいて、事前に設定されたルールに従って、サイドリンクタイプを決定し、例えば、ＤＣＩを搬送するキャリアのタイプ、サーチスペースタイプ、ＤＣＩフォーマット、ＤＣＩをスクランブルするＲＮＴＩ等の方式によってサイドリンクタイプを指示し、それによって端末装置はネットワーク装置がＬＴＥ−Ｖ２ＸそれともＮＲ−Ｖ２Ｘをスケジューリングするかを決定することができ、システムリソーススケジューリングの柔軟性が高められる。
【００６９】
以上は図３を参照しながら、端末装置の角度から本願実施例によるサイドリンクタイプを決定する方法を詳しく説明したが、以下は図４を参照しながら、ネットワーク装置の角度から本願実施例によるサイドリンクタイプを決定する方法を説明する。
【００７０】
図４は本願実施例によるサイドリンクタイプを決定する方法３００の模式的なフローチャートを示し、該方法３００はネットワーク装置によって実行されることができる。具体的に、例えば、該ネットワーク装置は図１に示すネットワーク装置１１０であってもよく、図２に示すネットワーク装置ｅＮＢであってもよい。図４に示すように、該方法３００は、
端末装置にダウンリンク制御情報（ＤＣＩ）を送信し、該ＤＣＩは該端末装置が事前に設定されたルールに従って第１タイプサイドリンク又は第２タイプサイドリンクがターゲットサイドリンクであることを決定することに用いられ、該第１タイプサイドリンクと該第２タイプサイドリンクとの設定パラメータが異なり、該ターゲットサイドリンクは該端末装置がサイドリンクのデータ伝送を行うことに用いられるＳ３１０を含む。
【００７１】
選択肢として、該方法３００は更に、該端末装置に該事前に設定されたルールを送信することを含む。
【００７２】
選択肢として、該事前に設定されたルールは、該ＤＣＩがタイプフィールドを含み、該タイプフィールドが第１値である場合、該ＤＣＩは該第１タイプサイドリンクが該ターゲットサイドリンクであることを決定するように該端末装置に指示することに用いられ、該タイプフィールドが第２値である場合、該ＤＣＩは該第２タイプサイドリンクが該ターゲットサイドリンクであることを決定するように該端末装置に指示することに用いられることを含む。
【００７３】
選択肢として、該事前に設定されたルールは、該ＤＣＩが第１ＲＮＴＩでスクランブルされる場合、該ＤＣＩは該第１タイプサイドリンクが該ターゲットサイドリンクであることを決定するように該端末装置に指示することに用いられ、該ＤＣＩが第２ＲＮＴＩでスクランブルされる場合、該ＤＣＩは該第２タイプサイドリンクが該ターゲットサイドリンクであることを決定するように該端末装置に指示することに用いられ、該第２ＲＮＴＩと第１ＲＮＴＩが異なることを含む。
【００７４】
選択肢として、該第１ＲＮＴＩはサイドリンク車両無線ネットワーク一時識別子（ＳＬ−Ｖ−ＲＮＴＩ）である。
【００７５】
選択肢として、該事前に設定されたルールは、該ＤＣＩが第１フォーマットのＤＣＩである場合、該ＤＣＩは該第１タイプサイドリンクが該ターゲットサイドリンクであることを決定するように該端末装置に指示することに用いられ、該ＤＣＩが第２フォーマットのＤＣＩである場合、該ＤＣＩは該第２タイプサイドリンクが該ターゲットサイドリンクであることを決定するように該端末装置に指示することに用いられることを含む。
【００７６】
選択肢として、該事前に設定されたルールは、該ＤＣＩは該ＤＣＩを搬送するサーチスペース又は制御リソースセットに基づいて該第１タイプサイドリンク又は該第２タイプサイドリンクが該ターゲットサイドリンクであることを決定するように該端末装置に指示することに用いられることを含む。
【００７７】
選択肢として、該事前に設定されたルールは、第１タイプサーチスペースによって該ＤＣＩを搬送する場合、該ＤＣＩは該第１タイプサイドリンクが該ターゲットサイドリンクであることを決定するように該端末装置に指示することに用いられ、第２タイプサーチスペースによって該ＤＣＩを搬送する場合、該ＤＣＩは該第２タイプサイドリンクが該ターゲットサイドリンクであることを決定するように該端末装置に指示することに用いられることを含む。
【００７８】
選択肢として、該事前に設定されたルールは、第１制御リソースセットによって該ＤＣＩを搬送する場合、該ＤＣＩは該第１タイプサイドリンクが該ターゲットサイドリンクであることを決定するように該端末装置に指示することに用いられ、第２制御リソースセットによって該ＤＣＩを搬送する場合、該ＤＣＩは該第２タイプサイドリンクが該ターゲットサイドリンクであることを決定するように該端末装置に指示することに用いられることを含む。
【００７９】
選択肢として、該事前に設定されたルールは、該ＤＣＩを搬送するサーチスペースのインデックスが第３値である場合、該ＤＣＩは該第１タイプサイドリンクが該ターゲットサイドリンクであることを決定するように該端末装置に指示することに用いられ、該ＤＣＩを搬送するサーチスペースのインデックスが第４値である場合、該ＤＣＩは該第２タイプサイドリンクが該ターゲットサイドリンクであることを決定するように該端末装置に指示することに用いられることを含む。
【００８０】
選択肢として、該事前に設定されたルールは、該ＤＣＩを搬送するキャリア又は周波数帯域が第１周波数である場合、該ＤＣＩは該第１タイプサイドリンクが該ターゲットサイドリンクであることを決定するように該端末装置に指示することに用いられ、該ＤＣＩを搬送するキャリア又は周波数帯域が第２周波数である場合、該ＤＣＩは該第２タイプサイドリンクが該ターゲットサイドリンクであることを決定するように該端末装置に指示することに用いられることを含む。
【００８１】
選択肢として、該事前に設定されたルールは、該ＤＣＩがキャリア指示情報を含み、該キャリア指示情報及び第１対応関係に基づいて、該第１タイプサイドリンク又は該第２タイプサイドリンクが該ターゲットサイドリンクであることを決定し、該第１対応関係は該キャリア指示情報と該ターゲットサイドリンクのタイプとの対応関係を指示することに用いられることを含む。
【００８２】
選択肢として、該第１対応関係は事前に設定されたものである。
【００８３】
選択肢として、該方法３００は更に、該端末装置に該第１対応関係を送信し、又は、該端末装置から送信された該第１対応関係を受信することを含む。
【００８４】
選択肢として、該第１タイプサイドリンクはＬＴＥシステムをサポートするサイドリンクであり、該第２タイプサイドリンクはＮＲシステムをサポートするサイドリンクである。又は、該第１タイプサイドリンクはＮＲシステムをサポートするサイドリンクであり、該第２タイプサイドリンクはＬＴＥシステムをサポートするサイドリンクである。
【００８５】
従って、本願実施例のサイドリンクタイプを決定する方法では、ネットワーク装置が端末装置にサイドリンク伝送リソースをスケジューリングする場合、ネットワーク装置は端末装置にＤＣＩを送信し、それによって、端末装置は該ＤＣＩに基づいて、事前に設定されたルールに従って、サイドリンクタイプを決定し、例えば、ＤＣＩを搬送するキャリアのタイプ、サーチスペースタイプ、ＤＣＩフォーマット、ＤＣＩをスクランブルするＲＮＴＩ等の方式によってサイドリンクタイプを指示し、それによって端末装置はネットワーク装置がＬＴＥ−Ｖ２ＸそれともＮＲ−Ｖ２Ｘをスケジューリングするかを決定することができ、システムリソーススケジューリングの柔軟性が高められる。
【００８６】
理解されるように、本願の各種実施例において、上記各プロセスの番号は実行順序の後先を意味するものではなく、各プロセスの実行順序はその機能及び内的論理によって決定されるべきであり、本願実施例の実施プロセスに対して何らの限定となるべきではない。
【００８７】
また、本明細書における用語「システム」と「ネットワーク」は、本明細書においてしばしば互いに交換可能に使用される。本明細書における用語「及び／又は」は、単に関連するオブジェクトの関連関係を説明するためのものであり、３つの関係が存在し得ることを表す。例えば、Ａ及び／又はＢという場合、「Ａが単独に存在する」、「ＡとＢが同時に存在する」、「Ｂが単独に存在する」という３つの状況を表すことができる。更に、本明細書における「／」という文字は、一般的に前後の関連オブジェクトが「又は」の関係であることを表す。
【００８８】
以上は図１〜図４を参照しながら、本願実施例によるサイドリンクタイプを決定する方法を詳しく説明したが、以下は図５〜図９を参照しながら、本願実施例による端末装置及びネットワーク装置を説明する。
【００８９】
図５に示すように、本願実施例による端末装置４００は送受信ユニット４１０と決定４２０を備える。具体的に、該送受信ユニット４１０は、ネットワーク装置から送信されたダウンリンク制御情報（ＤＣＩ）を受信することに用いられ、該決定ユニット４２０は、事前に設定されたルールに従って、該ＤＣＩに基づいて、第１タイプサイドリンク又は第２タイプサイドリンクがターゲットサイドリンクであることを決定することに用いられ、該第１タイプサイドリンクと該第２タイプサイドリンクの設定パラメータは異なり、該送受信ユニット４１０は更に、該ターゲットサイドリンクを採用してサイドリンクのデータ伝送を行うことに用いられる。
【００９０】
選択肢として、該事前に設定されたルールは、該ＤＣＩがタイプフィールドを含み、該タイプフィールドが第１値である場合、該第１タイプサイドリンクが該ターゲットサイドリンクであることを決定し、該タイプフィールドが第２値である場合、該第２タイプサイドリンクが該ターゲットサイドリンクであることを決定することを含む。
【００９１】
選択肢として、該事前に設定されたルールは、該ＤＣＩが指示情報フィールドを含み、該指示情報フィールドが第１パラメータセットを指示する場合、該第１タイプサイドリンクが該ターゲットサイドリンクであることを決定し、該指示情報フィールドが第２パラメータセットを指示する場合、該第２タイプサイドリンクが該ターゲットサイドリンクであることを決定することを含む。
【００９２】
選択肢として、該事前に設定されたルールは、該ＤＣＩが第１無線ネットワーク一時識別子（ＲＮＴＩ）でスクランブルされる場合、該第１タイプサイドリンクが該ターゲットサイドリンクであることを決定し、該ＤＣＩが第２ＲＮＴＩでスクランブルされる場合、該第２タイプサイドリンクが該ターゲットサイドリンクであることを決定し、該第２ＲＮＴＩと第１ＲＮＴＩが異なることを含む。
【００９３】
選択肢として、該第１ＲＮＴＩはＳＬ−Ｖ−ＲＮＴＩである。
【００９４】
選択肢として、該事前に設定されたルールは、該ＤＣＩが第１フォーマットのＤＣＩである場合、該第１タイプサイドリンクが該ターゲットサイドリンクであることを決定し、該ＤＣＩが第２フォーマットのＤＣＩである場合、該第２タイプサイドリンクが該ターゲットサイドリンクであることを決定することを含む。
【００９５】
選択肢として、該事前に設定されたルールは、該ＤＣＩを搬送するサーチスペース又は制御リソースセットに基づいて該第１タイプサイドリンク又は該第２タイプサイドリンクが該ターゲットサイドリンクであることを決定することを含む。
【００９６】
選択肢として、該事前に設定されたルールにおける、該ＤＣＩを搬送するサーチスペースに基づいて該第１タイプサイドリンク又は該第２タイプサイドリンクが該ターゲットサイドリンクであることを決定することは、第１タイプサーチスペースによって該ＤＣＩを搬送する場合、該第１タイプサイドリンクが該ターゲットサイドリンクであることを決定し、第２タイプサーチスペースによって該ＤＣＩを搬送する場合、該第２タイプサイドリンクが該ターゲットサイドリンクであることを決定することを含む。
【００９７】
選択肢として、該事前に設定されたルールにおける、該ＤＣＩを搬送するサーチスペースに基づいて該第１タイプサイドリンク又は該第２タイプサイドリンクが該ターゲットサイドリンクであることを決定することは、該ＤＣＩを搬送するサーチスペースのインデックスが第３値である場合、該第１タイプサイドリンクが該ターゲットサイドリンクであることを決定し、該ＤＣＩを搬送するサーチスペースのインデックスが第４値である場合、該第２タイプサイドリンクが該ターゲットサイドリンクであることを決定することを含む。
【００９８】
選択肢として、該事前に設定されたルールは、第１制御リソースセットによって該ＤＣＩを搬送する場合、該第１タイプサイドリンクが該ターゲットサイドリンクであることを決定し、第２制御リソースセットによって該ＤＣＩを搬送する場合、該第２タイプサイドリンクが該ターゲットサイドリンクであることを決定することを含む。
【００９９】
選択肢として、該事前に設定されたルールは、該ＤＣＩを搬送するキャリア又は周波数帯域が第１周波数である場合、該第１タイプサイドリンクが該ターゲットサイドリンクであることを決定し、該ＤＣＩを搬送する該キャリア又は周波数帯域が第２周波数である場合、該第２タイプサイドリンクが該ターゲットサイドリンクであることを決定することを含む。
【０１００】
選択肢として、該事前に設定されたルールは、該ＤＣＩがキャリア指示情報を含み、該キャリア指示情報及び第１対応関係に基づいて、該第１タイプサイドリンク又は該第２タイプサイドリンクが該ターゲットサイドリンクであることを決定し、該第１対応関係は該キャリア指示情報と該ターゲットサイドリンクのタイプとの対応関係を指示することに用いられることを含む。
【０１０１】
選択肢として、該第１対応関係は事前に設定されたもの又は該ネットワーク装置によって設定されたものである。
【０１０２】
選択肢として、該送受信ユニット４１０は更に、該ネットワーク装置に該第１対応関係を送信することに用いられる。
【０１０３】
選択肢として、該第１タイプサイドリンクはＬＴＥシステムをサポートするサイドリンクであり、該第２タイプサイドリンクはＮＲシステムをサポートするサイドリンクである。又は、該第１タイプサイドリンクはＮＲシステムをサポートするサイドリンクであり、該第２タイプサイドリンクはＬＴＥシステムをサポートするサイドリンクである。
【０１０４】
選択肢として、該送受信ユニット４１０は更に、該ネットワーク装置から送信された該事前に設定されたルールを受信することに用いられる。
【０１０５】
選択肢として、該第１タイプサイドリンクと該第２タイプサイドリンクとの該設定パラメータが異なることは、第１タイプサイドリンクのサポートする最大帯域幅と該第２タイプサイドリンクのサポートする最大帯域幅が異なること、該第１タイプサイドリンクのサポートするサブキャリア間隔の大きさと該第２タイプサイドリンクのサポートするサブキャリア間隔の大きさが異なること、該第１タイプサイドリンクのサポートするサブキャリア間隔の種類と該第２タイプサイドリンクのサポートするサブキャリア間隔の種類が異なること、該第１タイプサイドリンクの設定パラメータが帯域幅部分を含まなく、該第２タイプサイドリンクの設定パラメータが帯域幅部分を含むこと、該第１タイプサイドリンクのキャリアインデックスと該第２タイプサイドリンクのキャリアインデックスが異なること、第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含む。
【０１０６】
理解されるように、本願実施例による端末装置４００は、本願実施例における方法２００の実行に対応することができ、そして端末装置４００における各ユニットの上記及び他の動作及び／又は機能は、それぞれ図１〜図４における各方法における端末装置に対応するプロセスを実現するためのものであり、簡潔のために、ここでは繰り返して説明しない。
【０１０７】
従って、本願実施例の端末装置は、ネットワーク装置が端末装置にサイドリンク伝送リソースをスケジューリングする場合、ネットワーク装置から送信されたＤＣＩを受信し、事前に設定されたルールに従って、サイドリンクタイプを決定し、例えば、ＤＣＩを搬送するキャリアのタイプ、サーチスペースタイプ、ＤＣＩフォーマット、ＤＣＩをスクランブルするＲＮＴＩ等の方式によってサイドリンクタイプを指示し、それによって端末装置はネットワーク装置がＬＴＥ−Ｖ２ＸそれともＮＲ−Ｖ２Ｘをスケジューリングするかを決定することができ、システムリソーススケジューリングの柔軟性が高められる。
【０１０８】
図６に示すように、本願実施例によるネットワーク装置５００は送信ユニット５１０を備え、選択肢として、受信ユニット５２０を更に備えてもよい。具体的に、該送信ユニット５１０は端末装置にダウンリンク制御情報（ＤＣＩ）を送信することに用いられ、該ＤＣＩは該端末装置が事前に設定されたルールに従って第１タイプサイドリンク又は第２タイプサイドリンクがターゲットサイドリンクであることを決定することに用いられ、該第１タイプサイドリンクと該第２タイプサイドリンクの設定パラメータは異なり、該ターゲットサイドリンクは該端末装置がサイドリンクのデータ伝送を行うことに用いられる。
【０１０９】
選択肢として、該送信ユニット５１０は更に、該端末装置に該事前に設定されたルールを送信することに用いられる。
【０１１０】
選択肢として、該事前に設定されたルールは、該ＤＣＩがタイプフィールドを含み、該タイプフィールドが第１値である場合、該ＤＣＩは該第１タイプサイドリンクが該ターゲットサイドリンクであることを決定するように該端末装置に指示することに用いられ、該タイプフィールドが第２値である場合、該ＤＣＩは該第２タイプサイドリンクが該ターゲットサイドリンクであることを決定するように該端末装置に指示することに用いられることを含む。
【０１１１】
選択肢として、該事前に設定されたルールは、該ＤＣＩが指示情報フィールドを含み、該指示情報フィールドが第１パラメータセットを指示する場合、該ＤＣＩは該第１タイプサイドリンクが該ターゲットサイドリンクであることを指示することに用いられ、該指示情報フィールドが第２パラメータセットを指示する場合、該ＤＣＩは第２タイプサイドリンクが該ターゲットサイドリンクであることを指示することに用いられることを含む。
【０１１２】
選択肢として、該事前に設定されたルールは、該ＤＣＩが第１無線ネットワーク一時識別子（ＲＮＴＩ）でスクランブルされる場合、該ＤＣＩは該第１タイプサイドリンクが該ターゲットサイドリンクであることを決定するように該端末装置に指示することに用いられ、該ＤＣＩが第２ＲＮＴＩでスクランブルされる場合、該ＤＣＩは該第２タイプサイドリンクが該ターゲットサイドリンクであることを決定するように該端末装置に指示することに用いられ、該第２ＲＮＴＩと第１ＲＮＴＩが異なることを含む。
【０１１３】
選択肢として、該第１ＲＮＴＩはＳＬ−Ｖ−ＲＮＴＩである。
【０１１４】
選択肢として、該事前に設定されたルールは、該ＤＣＩが第１フォーマットのＤＣＩである場合、該ＤＣＩは該第１タイプサイドリンクが該ターゲットサイドリンクであることを決定するように該端末装置に指示することに用いられ、該ＤＣＩが第２フォーマットのＤＣＩである場合、該ＤＣＩは該第２タイプサイドリンクが該ターゲットサイドリンクであることを決定するように該端末装置に指示することに用いられることを含む。
【０１１５】
選択肢として、該事前に設定されたルールは、該ＤＣＩは該ＤＣＩを搬送するサーチスペース又は制御リソースセットに基づいて該第１タイプサイドリンク又は該第２タイプサイドリンクが該ターゲットサイドリンクであることを決定するように該端末装置に指示することに用いられることを含む。
【０１１６】
選択肢として、該事前に設定されたルールは、第１タイプサーチスペースによって該ＤＣＩを搬送する場合、該ＤＣＩは該第１タイプサイドリンクが該ターゲットサイドリンクであることを決定するように該端末装置に指示することに用いられ、第２タイプサーチスペースによって該ＤＣＩを搬送する場合、該ＤＣＩは該第２タイプサイドリンクが該ターゲットサイドリンクであることを決定するように該端末装置に指示することに用いられることを含む。
【０１１７】
選択肢として、該事前に設定されたルールは、該ＤＣＩを搬送するサーチスペースのインデックスが第３値である場合、該ＤＣＩは該第１タイプサイドリンクが該ターゲットサイドリンクであることを決定するように該端末装置に指示することに用いられ、該ＤＣＩを搬送するサーチスペースのインデックスが第４値である場合、該ＤＣＩは該第２タイプサイドリンクが該ターゲットサイドリンクであることを決定するように該端末装置に指示することに用いられることを含む。
【０１１８】
選択肢として、該事前に設定されたルールは、第１制御リソースセットによって該ＤＣＩを搬送する場合、該ＤＣＩは該第１タイプサイドリンクが該ターゲットサイドリンクであることを決定するように該端末装置に指示することに用いられ、第２制御リソースセットによって該ＤＣＩを搬送する場合、該ＤＣＩは該第２タイプサイドリンクが該ターゲットサイドリンクであることを決定するように該端末装置に指示することに用いられることを含む。
【０１１９】
選択肢として、該事前に設定されたルールは、該ＤＣＩを搬送するキャリア又は周波数帯域が第１周波数である場合、該ＤＣＩは該第１タイプサイドリンクが該ターゲットサイドリンクであることを決定するように該端末装置に指示することに用いられ、該ＤＣＩを搬送するキャリア又は周波数帯域が第２周波数である場合、該ＤＣＩは該第２タイプサイドリンクが該ターゲットサイドリンクであることを決定するように該端末装置に指示することに用いられることを含む。
【０１２０】
選択肢として、該事前に設定されたルールは、該ＤＣＩがキャリア指示情報を含み、該キャリア指示情報及び第１対応関係に基づいて、該第１タイプサイドリンク又は該第２タイプサイドリンクが該ターゲットサイドリンクであることを決定し、該第１対応関係は該キャリア指示情報と該ターゲットサイドリンクのタイプとの対応関係を指示することに用いられることを含む。
【０１２１】
選択肢として、該第１対応関係は事前に設定されたものである。
【０１２２】
選択肢として、該送信ユニット５１０は更に、該端末装置に該第１対応関係を送信することに用いられ、又は、
選択肢として、該受信ユニット５２０は更に、該端末装置から送信された該第１対応関係を受信することに用いられる。
【０１２３】
選択肢として、該第１タイプサイドリンクはＬＴＥシステムをサポートするサイドリンクであり、該第２タイプサイドリンクはＮＲシステムをサポートするサイドリンクであり、又は、該第１タイプサイドリンクはＮＲシステムをサポートするサイドリンクであり、該第２タイプサイドリンクはＬＴＥシステムをサポートするサイドリンクである。
【０１２４】
選択肢として、該第１タイプサイドリンクと該第２タイプサイドリンクとの該設定パラメータが異なることは、第１タイプサイドリンクのサポートする最大帯域幅と該第２タイプサイドリンクのサポートする最大帯域幅が異なること、該第１タイプサイドリンクのサポートするサブキャリア間隔の大きさと該第２タイプサイドリンクのサポートするサブキャリア間隔の大きさが異なること、該第１タイプサイドリンクのサポートするサブキャリア間隔の種類と該第２タイプサイドリンクのサポートするサブキャリア間隔の種類が異なること、該第１タイプサイドリンクの設定パラメータが帯域幅部分を含まなく、該第２タイプサイドリンクの設定パラメータが帯域幅部分を含むこと、該第１タイプサイドリンクのキャリアインデックスと該第２タイプサイドリンクのキャリアインデックスが異なること、第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含む。
【０１２５】
理解されるように、本願実施例によるネットワーク装置５００は、本願実施例における方法３００の実行に対応することができ、そしてネットワーク装置５００における各ユニットの上記及び他の動作及び／又は機能は、それぞれ図１〜図４における各方法におけるネットワーク装置に対応するプロセスを実現するためのものであり、簡潔のために、ここでは繰り返して説明しない。
【０１２６】
従って、本願実施例のネットワーク装置は、端末装置にサイドリンク伝送リソースをスケジューリングする場合、端末装置にＤＣＩを送信し、それによって、端末装置は該ＤＣＩに基づいて、事前に設定されたルールに従って、サイドリンクタイプを決定し、例えば、ＤＣＩを搬送するキャリアのタイプ、サーチスペースタイプ、ＤＣＩフォーマット、ＤＣＩをスクランブルするＲＮＴＩ等の方式によってサイドリンクタイプを指示し、それによって端末装置はネットワーク装置がＬＴＥ−Ｖ２ＸそれともＮＲ−Ｖ２Ｘをスケジューリングするかを決定することができ、システムリソーススケジューリングの柔軟性が高められる。図７は本願実施例による通信装置６００の構造模式図である。図７に示す通信装置６００はプロセッサ６１０を備え、プロセッサ６１０はコンピュータプログラムをメモリから呼び出して実行して、本願実施例における方法を実現することができる。
【０１２７】
選択肢として、図７に示すように、通信装置６００は更にメモリ６２０を備えてもよい。プロセッサ６１０はコンピュータプログラムをメモリ６２０から呼び出して実行して、本願実施例における方法を実現することができる。
【０１２８】
メモリ６２０はプロセッサ６１０から独立した１つの単独のデバイスであってもよく、プロセッサ６１０に集積されてもよい。
【０１２９】
選択肢として、図７に示すように、通信装置６００は更に送受信機６３０を備えてもよく、プロセッサ６１０は他の装置と通信するように該送受信機６３０を制御することができ、具体的に、他の装置に情報又はデータを送信し、又は他の装置から送信された情報又はデータを受信することができる。
【０１３０】
送受信機６３０は送信機と受信機を備えてもよい。送受信機６３０は更にアンテナを備えてもよく、アンテナの数は１つ又は複数であってもよい。
【０１３１】
選択肢として、該通信装置６００は具体的に本願実施例のネットワーク装置であってもよく、そして該通信装置６００は本願実施例の各方法におけるネットワーク装置によって実現される相応のプロセスを実現でき、簡潔のために、ここでは繰り返して説明しない。
【０１３２】
選択肢として、該通信装置６００は具体的に本願実施例のモバイル端末／端末装置であってもよく、そして該通信装置６００は本願実施例の各方法におけるモバイル端末／端末装置によって実現される相応のプロセスを実現でき、簡潔のために、ここでは繰り返して説明しない。
【０１３３】
図８は本願実施例のチップの構造模式図である。図８に示すチップ７００はプロセッサ７１０を備え、プロセッサ７１０はコンピュータプログラムをメモリから呼び出して実行して、本願実施例における方法を実現することができる。
【０１３４】
選択肢として、図８に示すように、チップ７００は更にメモリ７２０を備えてもよい。プロセッサ７１０はコンピュータプログラムをメモリ７２０から呼び出して実行して、本願実施例における方法を実現することができる。
【０１３５】
メモリ７２０はプロセッサ７１０から独立した１つの単独のデバイスであってもよく、プロセッサ７１０に集積されてもよい。
【０１３６】
選択肢として、該チップ７００は更に入力インタフェース７３０を備えてもよい。プロセッサ７１０は他の装置又はチップと通信するように該入力インタフェース７３０を制御することができ、具体的に、他の装置又はチップから送信された情報又はデータを取得することができる。
【０１３７】
選択肢として、該チップ７００は更に出力インタフェース７４０を備えてもよい。プロセッサ７１０は他の装置又はチップと通信するように該出力インタフェース７４０を制御することができ、具体的に、他の装置又はチップに情報又はデータを出力することができる。
【０１３８】
選択肢として、該チップは本願実施例におけるネットワーク装置に適用されてもよく、そして該チップは本願実施例の各方法におけるネットワーク装置によって実現される相応のプロセスを実現でき、簡潔のために、ここでは繰り返して説明しない。
【０１３９】
選択肢として、該チップは本願実施例におけるモバイル端末／端末装置に適用されてもよく、そして該チップは本願実施例の各方法におけるモバイル端末／端末装置によって実現される相応のプロセスを実現でき、簡潔のために、ここでは繰り返して説明しない。
【０１４０】
理解されるように、本願実施例で言及されるチップはまた、システムレベルチップ、システムチップ、チップシステム、又はシステムオンチップ等と称されてもよい。
【０１４１】
図９は本願実施例による通信システム８００の模式的なブロック図である。図９に示すように、該通信システム８００は端末装置８１０とネットワーク装置８２０を備える。
【０１４２】
該端末装置８１０は上記の方法における端末装置によって実現される相応の機能を実現することに用いられることができ、そして該ネットワーク装置８２０は上記の方法におけるネットワーク装置によって実現される相応の機能を実現することに用いられることができ、簡潔のために、ここでは繰り返して説明しない。
【０１４３】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記のプロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本願実施例に開示される各方法、ステップ及び論理ブロック図を実現又は実行することができる。汎用プロセッサはマイクロプロセッサであってもよく、又は該プロセッサは如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１４４】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。尚、本明細書に説明されるシステム及び方法のメモリはこれらのメモリ及び任意の他の適切なタイプのメモリを含むが、これらに限らないように意図されている。
【０１４５】
理解されるように、上記メモリの記載は例示的であって制限的なものではなく、例えば、本願実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。つまり、本発明実施例におけるメモリはこれらのメモリ及び任意の他の適切なタイプのメモリを含むが、これらに限らないように意図されている。
【０１４６】
本願実施例は更にコンピュータ可読記憶媒体を提供し、コンピュータプログラムを記憶することに用いられる。
【０１４７】
選択肢として、該コンピュータ可読記憶媒体は本願実施例におけるネットワーク装置に適用されてもよく、そして該コンピュータプログラムはコンピュータに本願実施例の各方法におけるネットワーク装置によって実現される相応のプロセスを実行させ、簡潔のために、ここでは繰り返して説明しない。
【０１４８】
選択肢として、該コンピュータ可読記憶媒体は本願実施例におけるモバイル端末／端末装置に適用されてもよく、そして該コンピュータプログラムはコンピュータに本願実施例の各方法におけるモバイル端末／端末装置によって実現される相応のプロセスを実行させ、簡潔のために、ここでは繰り返して説明しない。
【０１４９】
本願実施例は更にコンピュータプログラム製品を提供し、コンピュータプログラム命令を含む。
【０１５０】
選択肢として、該コンピュータプログラム製品は本願実施例におけるネットワーク装置に適用されてもよく、そして該コンピュータプログラム命令はコンピュータに本願実施例の各方法におけるネットワーク装置によって実現される相応のプロセスを実行させ、簡潔のために、ここでは繰り返して説明しない。
【０１５１】
選択肢として、該コンピュータプログラム製品は本願実施例におけるモバイル端末／端末装置に適用されてもよく、そして該コンピュータプログラム命令はコンピュータに本願実施例の各方法におけるモバイル端末／端末装置によって実現される相応のプロセスを実行させ、簡潔のために、ここでは繰り返して説明しない。
【０１５２】
本願実施例は更にコンピュータプログラムを提供する。
【０１５３】
選択肢として、該コンピュータプログラムは本願実施例におけるネットワーク装置に適用されてもよく、該コンピュータプログラムがコンピュータにおいて実行される時、コンピュータは本願実施例の各方法におけるネットワーク装置によって実現される相応のプロセスを実行し、簡潔のために、ここでは繰り返して説明しない。
【０１５４】
選択肢として、該コンピュータプログラムは本願実施例におけるモバイル端末／端末装置に適用されてもよく、該コンピュータプログラムがコンピュータにおいて実行される時、コンピュータは本願実施例の各方法におけるモバイル端末／端末装置によって実現される相応のプロセスを実行し、簡潔のために、ここでは繰り返して説明しない。
【０１５５】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１５６】
当業者が明確に理解できるように、説明を容易で簡単にするために、上記説明されたシステム、装置及びユニットの具体的な動作過程については、前述の方法実施例における対応する過程を参照でき、ここでは繰り返して説明しない。
【０１５７】
本願に係る幾つかの実施例において、理解されるように、開示されるシステム、装置及び方法は他の方式で実現されてもよい。例えば、上記の装置実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【０１５８】
分離部材として説明される前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１５９】
また、本願の各実施例において、各機能ユニットは１つの処理ユニットに統合されてもよく、各ユニットは独立して物理的に存在してもよく、２つ以上のユニットが１つのユニットに統合されてもよい。
【０１６０】
前記機能はソフトウェア機能ユニットの形で実現され、そして独立した製品として販売又は使用される場合、コンピュータ読み取り可能な記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体はＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１６１】
以上の説明は単に本願の具体的な実施形態に過ぎず、本願の保護範囲を制限するためのものではない。当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2021530145.tif 000003
【図２】
2021530145.tif 000004
【図３】
2021530145.tif 000005
【図４】
2021530145.tif 000006
【図５】
2021530145.tif 000007
【図６】
2021530145.tif 000008
【図７】
2021530145.tif 000009
【図８】
2021530145.tif 000010
【図９】
2021530145.tif 000011
【手続補正書】
【提出日】令和2年12月24日(2020.12.24)
【手続補正１】
【補正対象書類名】明細書
【補正対象項目名】００８８
【補正方法】変更
【補正の内容】
【００８８】
図５に示すように、本願実施例による端末装置４００は送受信ユニット４１０と決定ユニット４２０を備える。具体的に、該送受信ユニット４１０は、ネットワーク装置から送信されたダウンリンク制御情報（ＤＣＩ）を受信することに用いられ、該決定ユニット４２０は、事前に設定されたルールに従って、該ＤＣＩに基づいて、第１タイプサイドリンク又は第２タイプサイドリンクがターゲットサイドリンクであることを決定することに用いられ、該第１タイプサイドリンクと該第２タイプサイドリンクの設定パラメータは異なり、該送受信ユニット４１０は更に、該ターゲットサイドリンクを採用してサイドリンクのデータ伝送を行うことに用いられる。
【手続補正２】
【補正対象書類名】明細書
【補正対象項目名】０１２１
【補正方法】変更
【補正の内容】
【０１２１】
選択肢として、該送信ユニット５１０は更に、該端末装置に該第１対応関係を送信することに用いられ、
選択肢として、該受信ユニット５２０は更に、該端末装置から送信された該第１対応関係を受信することに用いられる。
【手続補正３】
【補正対象書類名】特許請求の範囲
【補正対象項目名】全文
【補正方法】変更
【補正の内容】
【特許請求の範囲】
【請求項１】
サイドリンクのデータ伝送方法であって、
ダウンリンク制御情報（ＤＣＩ）を受信することと、
前記ＤＣＩのフォーマットを決定することと、
前記ＤＣＩが第１フォーマットのＤＣＩである場合、前記ＤＣＩが第１タイプサイドリンクをスケジューリングすることに用いられ、前記ＤＣＩが第２フォーマットのＤＣＩである場合、前記ＤＣＩが第２タイプサイドリンクをスケジューリングすることに用いられ、前記第１タイプサイドリンクと前記第２タイプサイドリンクとの設定パラメータが異なることと、
スケジューリングされたサイドリンクを採用してサイドリンクのデータ伝送を行うことと、を含むことを特徴とするサイドリンクのデータ伝送方法。
【請求項２】
前記ＤＣＩが前記第１フォーマットのＤＣＩである場合、第１無線ネットワーク一時識別子（ＲＮＴＩ）で前記ＤＣＩをスクランブルし、
前記ＤＣＩが前記第２フォーマットのＤＣＩである場合、第２ＲＮＴＩで前記ＤＣＩをスクランブルし、
前記第２ＲＮＴＩと前記第１ＲＮＴＩが異なることを特徴とする請求項１に記載の方法。
【請求項３】
前記第１タイプサイドリンクはロングタームエボリューション（ＬＴＥ）システムをサポートするサイドリンクであり、前記第２タイプサイドリンクは新無線（ＮＲ）システムをサポートするサイドリンクであり、又は、
前記第１タイプサイドリンクはＮＲシステムをサポートするサイドリンクであり、前記第２タイプサイドリンクはＬＴＥシステムをサポートするサイドリンクであることを特徴とする請求項１に記載の方法。
【請求項４】
前記第１タイプサイドリンクと前記第２タイプサイドリンクとの前記設定パラメータが異なることは、
前記第１タイプサイドリンクのサポートする最大帯域幅と前記第２タイプサイドリンクのサポートする最大帯域幅が異なること、
前記第１タイプサイドリンクのサポートするサブキャリア間隔の大きさと前記第２タイプサイドリンクのサポートするサブキャリア間隔の大きさが異なること、
前記第１タイプサイドリンクのサポートするサブキャリア間隔の種類と前記第２タイプサイドリンクのサポートするサブキャリア間隔の種類が異なること、
前記第１タイプサイドリンクの設定パラメータが帯域幅部分を含まなく、前記第２タイプサイドリンクの設定パラメータが帯域幅部分を含むこと、
前記第１タイプサイドリンクのキャリアインデックスと前記第２タイプサイドリンクのキャリアインデックスが異なること、
第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含むことを特徴とする請求項１に記載の方法。
【請求項５】
第１周波数のキャリア又は周波数帯域で前記第１フォーマットのＤＣＩを搬送し、第２周波数のキャリア又は周波数帯域で前記第２フォーマットのＤＣＩを搬送することを特徴とする請求項１に記載の方法。
【請求項６】
前記ＤＣＩが指示情報フィールドを含むことと、
前記指示情報フィールドが第１パラメータセットを指示する場合、サイドリンクのデータを伝送するように前記第１タイプサイドリンクをスケジューリングすることと、
前記指示情報フィールドが第２パラメータセットを指示する場合、サイドリンクのデータを伝送するように前記第２タイプサイドリンクをスケジューリングすることと、を含むことを特徴とする請求項１に記載の方法。
【請求項７】
前記ＤＣＩのフォーマットは事前に設定されたルールによって決定され、前記事前に設定されたルールは、
前記ＤＣＩが指示情報フィールドを含み、前記指示情報フィールドが第１パラメータセットを指示する場合、前記ＤＣＩが第１フォーマットのＤＣＩであることを決定し、前記指示情報フィールドが第２パラメータセットを指示する場合、前記ＤＣＩが第２フォーマットのＤＣＩであることを決定することを含むことを特徴とする請求項１に記載の方法。
【請求項８】
前記ＤＣＩのフォーマットは事前に設定されたルールによって決定され、前記事前に設定されたルールは、
前記ＤＣＩがキャリア指示情報を含み、前記キャリア指示情報及び第１対応関係に基づいて、前記ＤＣＩが第１フォーマットのＤＣＩ又は第２フォーマットのＤＣＩであることを決定し、前記第１対応関係は前記キャリア指示情報と前記ＤＣＩのフォーマットとの対応関係を指示することに用いられることを含むことを特徴とする請求項１に記載の方法。
【請求項９】
端末装置であって、
ダウンリンク制御情報（ＤＣＩ）を受信することに用いられる送受信ユニットと、
前記ＤＣＩのフォーマットを決定することに用いられ、前記ＤＣＩが第１フォーマットのＤＣＩである場合、前記ＤＣＩが第１タイプサイドリンクをスケジューリングすることに用いられ、前記ＤＣＩが第２フォーマットのＤＣＩである場合、前記ＤＣＩが第２タイプサイドリンクをスケジューリングすることに用いられ、前記第１タイプサイドリンクと前記第２タイプサイドリンクとの設定パラメータが異なる決定ユニットと、を備え、
前記送受信ユニットは更に、スケジューリングされたサイドリンクを採用してサイドリンクのデータ伝送を行うことに用いられることを特徴とする端末装置。
【請求項１０】
前記決定ユニットは、
前記ＤＣＩが前記第１フォーマットのＤＣＩである場合、第１無線ネットワーク一時識別子（ＲＮＴＩ）でスクランブルし、
前記ＤＣＩが前記第２フォーマットのＤＣＩである場合、第２ＲＮＴＩでスクランブルし、
前記第２ＲＮＴＩと前記第１ＲＮＴＩが異なることに用いられることを特徴とする請求項９に記載の端末装置。
【請求項１１】
前記第１タイプサイドリンクはロングタームエボリューション（ＬＴＥ）システムをサポートするサイドリンクであり、前記第２タイプサイドリンクは新無線（ＮＲ）システムをサポートするサイドリンクであり、又は、
前記第１タイプサイドリンクはＮＲシステムをサポートするサイドリンクであり、前記第２タイプサイドリンクはＬＴＥシステムをサポートするサイドリンクであることを特徴とする請求項９又は１０に記載の端末装置。
【請求項１２】
前記第１タイプサイドリンクと前記第２タイプサイドリンクとの前記設定パラメータが異なることは、
前記第１タイプサイドリンクのサポートする最大帯域幅と前記第２タイプサイドリンクのサポートする最大帯域幅が異なること、
前記第１タイプサイドリンクのサポートするサブキャリア間隔の大きさと前記第２タイプサイドリンクのサポートするサブキャリア間隔の大きさが異なること、
前記第１タイプサイドリンクのサポートするサブキャリア間隔の種類と前記第２タイプサイドリンクのサポートするサブキャリア間隔の種類が異なること、
前記第１タイプサイドリンクの設定パラメータが帯域幅部分を含まなく、前記第２タイプサイドリンクの設定パラメータが帯域幅部分を含むこと、
前記第１タイプサイドリンクのキャリアインデックスと前記第２タイプサイドリンクのキャリアインデックスが異なること、
第１タイプサイドリンクの設定パラメータがサイドリンクフィードバックチャネルのパラメータ情報を含まなく、第２タイプサイドリンクの設定パラメータがサイドリンクフィードバックチャネルのパラメータ情報を含むこと、のうちの少なくとも１つを含むことを特徴とする請求項９〜１１のいずれか１項に記載の端末装置。
【請求項１３】
第１周波数のキャリア又は周波数帯域で前記第１フォーマットのＤＣＩを搬送し、第２周波数のキャリア又は周波数帯域で前記第２フォーマットのＤＣＩを搬送することを特徴とする請求項９〜１２のいずれか１項に記載の端末装置。
【請求項１４】
前記ＤＣＩは指示情報フィールドを含み、前記決定ユニットは、
前記指示情報フィールドが第１パラメータセットを指示する場合、サイドリンクのデータを伝送するように前記第１タイプサイドリンクをスケジューリングすることと、
前記指示情報フィールドが第２パラメータセットを指示する場合、サイドリンクのデータを伝送するように前記第２タイプサイドリンクをスケジューリングすることと、に用いられることを特徴とする請求項９に記載の端末装置。
【請求項１５】
前記ＤＣＩのフォーマットは事前に設定されたルールによって決定され、前記事前に設定されたルールは、
前記ＤＣＩが指示情報フィールドを含み、前記指示情報フィールドが第１パラメータセットを指示する場合、前記ＤＣＩが第１フォーマットのＤＣＩであることを決定し、前記指示情報フィールドが第２パラメータセットを指示する場合、前記ＤＣＩが第２フォーマットのＤＣＩであることを決定することを含むことを特徴とする請求項９に記載の端末装置。
【請求項１６】
前記ＤＣＩのフォーマットは事前に設定されたルールによって決定され、前記事前に設定されたルールは、
前記ＤＣＩがキャリア指示情報を含み、前記キャリア指示情報及び第１対応関係に基づいて、前記ＤＣＩが第１フォーマットのＤＣＩ又は第２フォーマットのＤＣＩであることを決定し、前記第１対応関係は前記キャリア指示情報と前記ＤＣＩのフォーマットとの対応関係を指示することに用いられることを含むことを特徴とする請求項９に記載の端末装置。
【請求項１７】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１〜８のいずれか１項に記載の方法を実行することに用いられることを特徴とする端末装置。
【国際調査報告】
2021530145.tif 000012
2021530145.tif 000013
2021530145.tif 000014
2021530145.tif 000015